(57)【要約】【課題】従来の技術では、ユーザが現在視聴しているチャンネルや番組に関係なくユーザへ番組情報を告知することから視聴している番組と告知される情報の内容が同一となる場合があり、ユーザにとってみれば目障りな告知となるなど課題があった。【解決手段】そこで、本発明は、外部から得ることができる通知情報に含まれるチャンネル情報とテレビにおいて放送されているチャンネル情報を比較し、その結果に応じた告知情報を出力させることを特徴とするＡＶ装置を提供する。【選択図】  図１
2010011231.tif 000002
【特許請求の範囲】
【請求項１】
少なくともチャンネルＩＤを含む通知情報を取得する通知情報取得部と、
視聴するチャンネルを選択するためのチャンネル選択部と、
コンテンツを出力するコンテンツ出力部と、
選択されているチャンネルのチャンネルＩＤを取得するチャンネルＩＤ取得部と、
通知情報取得部にて取得した通知情報に含まれるチャンネルＩＤと、チャンネルＩＤ取得部にて取得したチャンネルＩＤとを比較する比較部と、
比較部での比較結果に応じて視聴者に対して告知すべき視聴者用告知情報を取得する視聴者用告知情報取得部と、
前記視聴者用告知情報を出力中のコンテンツと同時にコンテンツ出力部から出力させる出力制御部と、
を有するＡＶ装置。
【請求項２】
出力制御部は、比較部での比較結果が同一であるとの比較結果である場合には視聴者用告知情報を前記コンテンツと同時にコンテンツ出力部から出力させない制御をする非表示制御手段を有する請求項１に記載のＡＶ装置。
【請求項３】
通知情報を取得する通知情報取得部と、
選択されているコンテンツ出力部のモード情報を取得するモード情報取得部と、
コンテンツを出力するコンテンツ出力部と、
通知情報とモード情報とに応じて視聴者に対して告知すべき視聴者用告知情報を取得する視聴者用告知情報取得部と、
前記視聴者用告知情報を出力中のコンテンツと同時にコンテンツ出力部から出力させる出力制御部と、
を有するＡＶ装置。
【請求項４】
視聴するチャンネルを選択するためのチャンネル選択部と、
選択されているチャンネルのチャンネルＩＤを取得するチャンネルＩＤ取得部と、
通知情報取得部にて取得した通知情報に含まれるチャンネルＩＤと、チャンネルＩＤ取得部にて取得したチャンネルＩＤとを比較する比較部とを備え、
視聴者用告知情報取得部は、モード情報取得部のモード情報が、チャンネルモードの場合、比較部での比較結果に応じて視聴者に対して告知すべき視聴者用告知情報を取得する、チャンネルモード視聴者用告知情報取得手段と、
を有する請求項３記載のＡＶ装置。
【請求項５】
比較結果、又はモード情報に応じた視聴者用告知情報を生成するためのテレビ側生成情報を保持するテレビ側生成情報保持部を有し、
視聴者用告知情報取得部は、比較部での比較結果、又はモード情報取得部で取得したモード情報に応じてテレビ側生成情報保持部からテレビ側生成情報を取得して視聴者用告知情報を生成する視聴者用告知情報生成手段を有する請求項１、請求項２または請求項４に記載のＡＶ装置。
【請求項６】
視聴者用告知情報を比較結果、又はモード情報がいずれであってもよいように比較結果ごとに対応させて複数種類外部から取得するための視聴者用告知情報外部取得部を有し、
視聴者用告知情報取得部は、視聴者用告知情報外部取得部にて取得した複数の視聴者用告知情報から比較部での比較結果、又はモード情報取得部で取得したモード情報に応じた視聴者用告知情報を選択する視聴者用告知情報選択手段を有する請求項１、請求項２、または請求項４に記載のＡＶ装置。
【請求項７】
視聴者用告知情報取得部は、比較部での比較結果が同一であるとの比較結果である場合に対応する視聴者用告知情報としてＮＵＬＬデータを取得するＮＵＬＬデータ取得手段を有する請求項１に記載のＡＶ装置。
【請求項８】
コンテンツ出力部が出力中のコンテンツのソース機器を識別するソース機器識別手段をさらに有し、
視聴者用告知情報取得部は、さらにソース機器識別情報に応じて視聴者用告知情報を取得するソース機器別取得手段を有する請求項１から７のいずれか一に記載のＡＶ装置。
【請求項９】
ＡＶ装置に接続されている録画機器と、請求項１から７のいずれか一に記載のＡＶ装置と、からなるＡＶシステムであって、
前記ＡＶ装置は、前記比較部における比較結果が異なるとの比較結果である場合には前記録画機器に対して前記通知情報取得部にて取得されたチャンネルＩＤで識別されるチャンネルを録画する録画命令を出力する録画命令出力部を有する請求項１、２、４から７のいずれか一に記載のＡＶ装置と
からなるＡＶシステム
【請求項１０】
ＡＶ装置に接続されている録画機器と、請求項８に記載のＡＶ装置と、からなるＡＶシステムであって、
前記ＡＶ装置は、ソース機器識別部が識別したソース機器がテレビ以外のソース機器である場合には前記録画機器に対して前記通知情報取得部にて取得されたチャンネルＩＤで識別されるチャンネルを録画する録画命令を出力するソース機器別録画命令出力部を新たに有する請求項８のＡＶ装置と
からなるＡＶシステム
【請求項１１】
少なくともチャンネルＩＤを含む通知情報を取得する通知情報取得ステップと、
視聴するチャンネルを選択するためのチャンネル選択ステップと、
コンテンツを出力するコンテンツ出力ステップと、
選択されているチャンネルのチャンネルＩＤを取得するチャンネルＩＤ取得ステップと、
通知情報取得部にて取得した通知情報に含まれるチャンネルＩＤと、チャンネルＩＤ取得部にて取得したチャンネルＩＤとを比較する比較ステップと、
比較部での比較結果に応じて視聴者に対して告知すべき視聴者用告知情報を取得する視聴者用告知情報取得ステップと、
前記視聴者用告知情報を出力中のコンテンツと同時にコンテンツ出力部から出力させる出力制御ステップと、
からなるＡＶ装置の動作方法。
【請求項１２】
出力制御ステップは、比較部での比較結果が同一であるとの比較結果である場合には視聴者用告知情報を前記コンテンツと同時にコンテンツ出力部から出力させない制御をする非表示制御ステップを有する請求項１１に記載のＡＶ装置の動作方法。
【請求項１３】
通知情報を取得する通知情報取得部と、
選択されているコンテンツ出力部のモード情報を取得するモード情報取得ステップと、
コンテンツを出力するコンテンツ出力ステップと、
通知情報とモード情報に応じて視聴者に対して告知すべき視聴者用告知情報を取得する視聴者用告知情報取得ステップと、
前記視聴者用告知情報を出力中のコンテンツと同時にコンテンツ出力部から出力させる出力制御ステップと、
を有するＡＶ装置の動作方法。
【請求項１４】
視聴するチャンネルを選択するためのチャンネル選択ステップと、
選択されているチャンネルのチャンネルＩＤを取得するチャンネルＩＤ取得ステップと、
通知情報取得ステップにて取得した通知情報に含まれるチャンネルＩＤと、チャンネルＩＤ取得ステップにて取得したチャンネルＩＤとを比較する比較ステップとを備え、
モード情報取得ステップで取得したモード情報が、チャンネルモードの場合、視聴者用告知情報取得ステップは、比較ステップでの比較結果に応じて視聴者に対して告知すべき視聴者用告知情報を取得する、チャンネルモード視聴者用告知情報取得ステップ
を有する請求項１３記載のＡＶ装置の動作方法。
【請求項１５】
比較結果に応じた視聴者用告知情報を生成するためのテレビ側生成情報を保持するテレビ側生成情報保持ステップを有し、
視聴者用告知情報取得部は、比較部での比較結果に応じてテレビ側生成情報保持部からテレビ側生成情報を取得して視聴者用告知情報を生成する視聴者用告知情報生成ステップを有する請求項１１に記載のＡＶ装置の動作方法。
【請求項１６】
視聴者用告知情報を比較結果がいずれであってもよいように比較結果ごとに対応させて複数種類外部から取得するための視聴者用告知情報外部取得部ステップ有し、
視聴者用告知情報取得ステップは、視聴者用告知情報外部取得ステップにて取得した複数の視聴者用告知情報から比較ステップでの比較結果に応じた視聴者用告知情報を選択する視聴者用告知情報選択ステップを有する請求項１１に記載のＡＶ装置の動作方法。
【請求項１７】
視聴者用告知情報取得ステップは、比較ステップでの比較結果が同一であるとの比較結果である場合に対応する視聴者用告知情報としてＮＵＬＬデータを取得するＮＵＬＬデータ取得ステップを有する請求項１１に記載のＡＶ装置の動作方法。
【請求項１８】
コンテンツ出力ステップが出力中のコンテンツのソース機器を識別するソース機器識別ステップをさらに有し、
視聴者用告知情報取得ステップは、さらにソース機器識別情報に応じて視聴者用告知情報を取得するソース機器別取得ステップを有する請求項１１から１７のいずれか一に記載のＡＶ装置の動作方法。
【請求項１９】
ＡＶ装置に接続されている録画機器と、ＡＶ装置と、からなるＡＶシステムの動作方法であって、
前記ＡＶ装置の動作方法は、前記比較ステップにおける比較結果が異なるとの比較結果である場合には前記録画機器に対して前記通知情報取得ステップにて取得されたチャンネルＩＤで識別されるチャンネルを録画する録画命令を出力する録画命令出力ステップを有する請求項１１、請求項１２、請求項１４から請求項１７のいずれか一に記載のＡＶ装置の動作方法であるＡＶシステムの動作方法
【請求項２０】
ＡＶ装置に接続されている録画機器と、ＡＶ装置と、からなるＡＶシステムの動作方法であって、
前記ＡＶ装置の動作方法は、ソース機器識別ステップが識別したソース機器がテレビ以外のソース機器である場合には前記録画機器に対して前記通知情報取得ステップにて取得されたチャンネルＩＤで識別されるチャンネルを録画する録画命令を出力するソース機器別録画命令出力ステップを新たに有する請求項１８に記載のＡＶ装置の動作方法であるＡＶシステムの動作方法
【発明の詳細な説明】
【技術分野】
【０００１】
本発明は、外部から取得する通知情報に応じて視聴者に情報提供を行う技術に関する。
【背景技術】
【０００２】
現在、テレビで放送されている番組の人気を調べるための手段として視聴率という指標が主に使用されている。視聴率は、国民の何パーセントが視聴したかを表す推定値である。すなわち、視聴率が高い番組ほど一般世間において関心がもたれていると推定することができる。しかしながら、視聴率は放送終了後にメディアを介して視聴者に知らされることがほとんどであり、リアルタイムで視聴率を知ることはできず、例えば視聴率が高いチャンネルを推薦する機能はなかった。そこで、次のような技術が提供されている。第１に特許文献１に記載の視聴率の高い番組のチャンネルに自動的に切り替えるもしくはチャンネルを通知することが可能なテレビに関する技術が提供されている。第２に特許文献２に記載の番組の盛り上がり具合を自動的に検出し、モニタに通知するまたはＨＤＤレコーダーへ記録する技術が提供されている。
【特許文献１】特開２００５−３４７８０６
【特許文献２】特開２００７−１１６５６７
【発明の開示】
【発明が解決しようとする課題】
【０００３】
しかしながら、特許文献１及び特許文献２に記載の技術はユーザが現在視聴しているチャンネルや番組に関係なくユーザへ番組情報を告知することから視聴している番組と告知される情報の内容が同一となる場合があり、ユーザにとってみれば目障りな告知となる課題があった。さらに、近年においてテレビ受信機は、単に放送受信するだけのものではなく、テレビゲームや、ＤＶＤ再生といった外部入力を出力させるためのディスプレイとしても使用されている。放送受信中であれば、番組中に設けられるＣＭの間にユーザがチャンネルを切り替えることによりユーザにとって必要とする番組を見つけることが可能であるが、ＤＶＤ再生中、ゲームをプレイしている際にはユーザにとって必要としている番組が放送されていても見逃してしまう可能性が高いという課題があった。
【課題を解決するための手段】
【０００４】
そこで、外部から得ることができる通知情報に含まれるチャンネル情報とテレビにおいて放送されているチャンネル情報を比較し、その結果に応じた告知情報を出力させることを特徴とするＡＶ装置を提供する。具体的には以下のＡＶ装置である。
【０００５】
第１発明では、少なくともチャンネルＩＤを含む通知情報を取得する通知情報取得部と、視聴するチャンネルを選択するためのチャンネル選択部と、コンテンツを出力するコンテンツ出力部と、選択されているチャンネルのチャンネルＩＤを取得するチャンネルＩＤ取得部と、通知情報取得部にて取得した通知情報に含まれるチャンネルＩＤと、チャンネルＩＤ取得部にて取得したチャンネルＩＤとを比較する比較部と、比較部での比較結果に応じて視聴者に対して告知すべき視聴者用告知情報を取得する視聴者用告知情報取得部と、前記視聴者用告知情報を出力中のコンテンツと同時にコンテンツ出力部から出力させる出力制御部と、を有するＡＶ装置を提供する。
【０００６】
第２発明では、第１発明を基本として出力制御部は、比較部での比較結果が同一であるとの比較結果である場合には視聴者用告知情報を前記コンテンツと同時にコンテンツ出力部から出力させない制御をする非表示制御手段を有するＡＶ装置を提供する。
【０００７】
第３発明では、通知情報を取得する通知情報取得部と、選択されているコンテンツ出力部のモード情報を取得するモード情報取得部と、コンテンツを出力するコンテンツ出力部と、通知情報とモード情報に応じて視聴者に対して告知すべき視聴者用告知情報を取得する視聴者用告知情報取得部と、前記視聴者用告知情報を出力中のコンテンツと同時にコンテンツ出力部から出力させる出力制御部と、を有するＡＶ装置を提供する。
【０００８】
第４発明では、第３発明を基本として少なくとも視聴するチャンネルを選択するためのチャンネル選択部と、選択されているチャンネルのチャンネルＩＤを取得するチャンネルＩＤ取得部と、通知情報取得部にて取得した通知情報に含まれるチャンネルＩＤと、チャンネルＩＤ取得部にて取得したチャンネルＩＤとを比較する比較部とを備え、視聴者用告知情報取得部は、モード情報取得部のモード情報が、チャンネルモードの場合、比較部での比較結果に応じて視聴者に対して告知すべき視聴者用告知情報を取得する、チャンネルモード視聴者用告知情報取得手段と、を有するＡＶ装置を提供する。
【０００９】
第５発明では、第１、２、４発明を基本として比較結果、又はモード情報に応じた視聴者用告知情報を生成するためのテレビ側生成情報を保持するテレビ側生成情報保持部を有し、視聴者用告知情報取得部は、比較部での比較結果、又はモード情報取得部で取得したモード情報に応じてテレビ側生成情報保持部からテレビ側生成情報を取得して視聴者用告知情報を生成する視聴者用告知情報生成手段を有するＡＶ装置を提供する。
【００１０】
第６発明では、第１、２、４発明を基本として視聴者用告知情報を比較結果、又はモード情報がいずれであってもよいように比較結果ごとに対応させて複数種類外部から取得するための視聴者用告知情報外部取得部を有し、視聴者用告知情報取得部は、視聴者用告知情報外部取得部にて取得した複数の視聴者用告知情報から比較部での比較結果、又はモード情報取得部で取得したモード情報に応じた視聴者用告知情報を選択する視聴者用告知情報選択手段を有するＡＶ装置を提供する。
【００１１】
第７発明では、第１発明を基本として視聴者用告知情報取得部は、比較部での比較結果が同一であるとの比較結果である場合に対応する視聴者用告知情報としてＮＵＬＬデータを取得するＮＵＬＬデータ取得手段を有するＡＶ装置を提供する。
【００１２】
第８発明では、第１発明から第７発明を基本としてコンテンツ出力部が出力中のコンテンツのソース機器を識別するソース機器識別手段をさらに有し、視聴者用告知情報取得部は、さらにソース機器識別情報に応じて視聴者用告知情報を取得するソース機器別取得手段を有するＡＶ装置を提供する。
【００１３】
第９発明では、ＡＶ装置に接続されている録画機器と、第１、２、４から７発明のいずれかのＡＶ装置と、からなるＡＶシステムであって、前記ＡＶ装置は、前記比較部における比較結果が異なるとの比較結果である場合には前記録画機器に対して前記通知情報取得部にて取得されたチャンネルＩＤで識別されるチャンネルを録画する録画命令を出力する録画命令出力部を有するＡＶ装置とからなるＡＶシステムを提供する。
【００１４】
第１０発明では、ＡＶ装置に接続されている録画機器と、第８発明のＡＶ装置と、からなるＡＶシステムであって、前記ＡＶ装置は、ソース機器識別部が識別したソース機器がテレビ以外のソース機器である場合には前記録画機器に対して前記通知情報取得部にて取得されたチャンネルＩＤで識別されるチャンネルを録画する録画命令を出力するソース機器別録画命令出力部を新たに有するＡＶ装置とからなるＡＶシステムを提供する。
【００１５】
第１１発明では、少なくともチャンネルＩＤを含む通知情報を取得する通知情報取得ステップと、視聴するチャンネルを選択するためのチャンネル選択ステップと、コンテンツを出力するコンテンツ出力ステップと、選択されているチャンネルのチャンネルＩＤを取得するチャンネルＩＤ取得ステップと、通知情報取得部にて取得した通知情報に含まれるチャンネルＩＤと、チャンネルＩＤ取得部にて取得したチャンネルＩＤとを比較する比較ステップと、比較部での比較結果に応じて視聴者に対して告知すべき視聴者用告知情報を取得する視聴者用告知情報取得ステップと、前記視聴者用告知情報を出力中のコンテンツと同時にコンテンツ出力部から出力させる出力制御ステップと、からなるＡＶ装置の動作方法を提供する。
【００１６】
第１２発明では、第１１発明を基本として出力制御ステップは、比較部での比較結果が同一であるとの比較結果である場合には視聴者用告知情報を前記コンテンツと同時にコンテンツ出力部から出力させない制御をする非表示制御ステップを有するＡＶ装置の動作方法を提供する。
【００１７】
第１３発明では、通知情報を取得する通知情報取得ステップと、選択されているコンテンツ出力ステップのモード情報を取得するモード情報取得ステップと、コンテンツを出力するコンテンツ出力ステップと、通知情報とモード情報に応じて視聴者に対して告知すべき視聴者用告知情報を取得する視聴者用告知情報取得ステップと、視聴者用告知情報を出力中のコンテンツと同時にコンテンツ出力部から出力させる出力制御ステップと、を有するＡＶ装置の動作方法を提供する。
【００１８】
第１４発明では、第１３発明を基本として少なくとも視聴するチャンネルを選択するためのチャンネル選択ステップと、選択されているチャンネルのチャンネルＩＤを取得するチャンネルＩＤ取得ステップと、通知情報取得ステップにて取得した通知情報に含まれるチャンネルＩＤと、チャンネルＩＤ取得ステップにて取得したチャンネルＩＤとを比較する比較ステップとを備え、視聴者用告知情報取得ステップは、モード情報取得ステップのモード情報が、チャンネルモードの場合、比較ステップでの比較結果に応じて視聴者に対して告知すべき視聴者用告知情報を取得する、チャンネルモード視聴者用告知情報取得ステップと、を有するＡＶ装置の動作方法を提供する。
【００１９】
第１５発明では、第１１発明を基本として比較結果に応じた視聴者用告知情報を生成するためのテレビ側生成情報を保持するテレビ側生成情報保持ステップを有し、視聴者用告知情報取得部は、比較部での比較結果に応じてテレビ側生成情報保持部からテレビ側生成情報を取得して視聴者用告知情報を生成する視聴者用告知情報生成ステップを有するＡＶ装置の動作方法を提供する。
【００２０】
第１６発明では、第１１発明を基本として視聴者用告知情報を比較結果がいずれであってもよいように比較結果ごとに対応させて複数種類外部から取得するための視聴者用告知情報外部取得部ステップ有し、視聴者用告知情報取得ステップは、視聴者用告知情報外部取得ステップにて取得した複数の視聴者用告知情報から比較ステップでの比較結果に応じた視聴者用告知情報を選択する視聴者用告知情報選択ステップを有するＡＶ装置の動作方法を提供する。
【００２１】
第１７発明では、第１１発明を基本として視聴者用告知情報取得ステップは、比較ステップでの比較結果が同一であるとの比較結果である場合に対応する視聴者用告知情報としてＮＵＬＬデータを取得するＮＵＬＬデータ取得ステップを有するＡＶ装置の動作方法を提供する。
【００２２】
第１８発明では、第１１発明から第１７発明を基本としてコンテンツ出力ステップが出力中のコンテンツのソース機器を識別するソース機器識別ステップをさらに有し、視聴者用告知情報取得ステップは、さらにソース機器識別情報に応じて視聴者用告知情報を取得するソース機器別取得ステップを有するＡＶ装置の動作方法を提供する。
【００２３】
第１９発明では、ＡＶ装置に接続されている録画機器とＡＶ装置とからなるシステムの動作方法であって、第１１、１２、１４から第１７発明のいずれか一の動作方法を基本とし、前記ＡＶ装置の動作方法は、前記比較ステップにおける比較結果が異なるとの比較結果である場合には前記録画機器に対して前記通知情報取得ステップにて取得されたチャンネルＩＤで識別されるチャンネルを録画する録画命令を出力する録画命令出力ステップを有するＡＶ装置の動作方法と、からなるＡＶシステムの動作方法を提供する。
【００２４】
第２０発明では、ＡＶ装置に接続されている録画機器と、ＡＶ装置とからなるシステムの動作方法であって、第１８発明の動作方法を基本とし、前記ＡＶ装置の動作方法は、ソース機器識別ステップが識別したソース機器がテレビ以外のソース機器である場合には前記録画機器に対して前記通知情報取得ステップにて取得されたチャンネルＩＤで識別されるチャンネルを録画する録画命令を出力するソース機器別録画命令出力ステップを新たに有するＡＶ装置の動作方法とからなるＡＶシステムの動作方法を提供する。
【発明の効果】
【００２５】
以上のような、本発明によって受信する通知情報に含まれるチャンネル情報を元にユーザが視聴しているチャンネルに応じた番組告知を行うことが可能となる。
【発明を実施するための最良の形態】
【００２６】
以下に、図を用いて本発明の実施の形態を説明する。なお、本発明はこれらの実施の形態に何ら限定されるものではなく、その要旨を逸脱しない範囲において、種々なる態様で実施しうる。
【００２７】
なお、実施例１は主に請求項１、１１を、実施例２は主に請求項２、１２を、実施例３は主に請求項３、１３を、実施例４は主に請求項４、１４を、実施例５は主に請求項５、１５を、実施例６は主に請求項６、１６を、実施例７は主に請求項７、１７を、実施例８は請求項８、１８を、実施例９は請求項９、１９を、実施例１０は請求項１０、２０について説明する。
【００２８】
≪実施例１≫
【００２９】
<概要>
【００３０】
図１は本実施例のＡＶ装置における概念図を表す図である。本実施例のＡＶ装置は外部より通知される通知情報に含まれるチャンネルＩＤとＡＶ装置のチャンネルが選択されているチャンネルＩＤを比較し、比較結果に応じて視聴者用告知情報を取得しＡＶ装置にコンテンツが出力されている画面に取得した視聴者用告知情報を出力することを特徴とするＡＶ装置である。
【００３１】
<機能的構成>
【００３２】
以下に記載するＡＶシステムの機能ブロックは、ハードウェア、ソフトウェア、又はハードウェア及びソフトウェアの両方として実現され得る。具体的には、コンピュータを利用するものであれば、ＣＰＵや主メモリ、バスあるいは二次記憶装置（ハードディスクや不揮発性メモリ）、それらのハードウェアを制御するためのドライバプログラムやその他アプリケーションプログラムなどがあげられる。
【００３３】
またこれらのハードウェアやソフトウェアは、主メモリ上に展開したプログラムをＣＰＵで演算処理したり、メモリやハードディスク上に保持されているデータや、インターフェースを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を固定した記録媒体も、当然この発明の技術的な範囲に含まれる。（本明細書の全体を通じて同様である）
【００３４】
図２は、本実施例の「ＡＶ装置」における構成の一例を表す図である。本実施例の「ＡＶ装置」は、「通知情報取得部」（０２０１）と、「チャンネル選択部」（０２０６）と、「コンテンツ出力部」（０２０５）と、「チャンネルＩＤ取得部」（０２０７）と、「比較部」（０２０２）と、「視聴者用告知情報取得部」（０２０３）と、「出力制御部」（０２０４）を有している。
【００３５】
「通知情報取得部」（０２０１）は、少なくともチャンネルＩＤを含む通知情報を取得する機能を有する。具体的には、外部より少なくともチャンネルＩＤを含む通知情報を受信し、受信した通知情報に含まれるチャンネルＩＤを取得する。ここで、通知情報を受信するにあたり、有線で通知情報を受信してもよいし無線で通知情報を受信してもよい。
【００３６】
図３は、実際に受信する通知情報のデータ構造の一例を示したものである。図３に記載のように通知情報は、ＸＭＬ形式で記述されている。本例の通知情報は、「通知チャンネル情報」に「チャンネルＩＤ」を関連付けたデータを少なくとも含む情報である。（例えば、「通知チャンネル情報」には「チャンネルＩＤ」＝「６」が関連付けられているという具合である。）なお、結果的に「チャンネルＩＤ」＝「○○テレビ」などの放送局名などのチャンネルと一意に関連付けることができる手段であれば、その限りではない。
【００３７】
図４は、実際に例えば図３に示す通知情報からチャンネルＩＤを取得するためのプログラムの一例を示したものである。図４に記載のプログラム例は以下のように動作するように記述されている。まず、通知情報を受信した事を検知する（図４Line３０）。通知情報を受信すると、通知情報に含まれているチャンネルＩＤの取得を行う（図４Line５０）。そして、取得したチャンネルＩＤを下記に詳述する「比較部」に対してデータの引き渡しを行う（図４Line６０）という具合の動作をする。
【００３８】
「チャンネル選択部」（０２０６）は、視聴するチャンネルを選択するためのチャンネルを選択する機能を有する。具体的には、ユーザが本実施例のＡＶ装置を使用し視聴するために選択したチャンネル情報を受信し後に詳述する「コンテンツ出力部」（０２０５）にユーザが選択したチャンネルのコンテンツを出力させる。
【００３９】
「コンテンツ出力部」（０２０５）は、コンテンツを出力する機能を有する。具体的には、前記「チャンネル選択部」（０２０６）において選択されたチャンネルを出力させることや、外部入力等により受信するコンテンツの出力を行うなどである。また、要求に応じてコンテンツを出力しつつ、同時にメッセージ等のポップアップや、出力中のコンテンツ画面を分割しメッセージを出力させる機能を有していてもよい。
【００４０】
「チャンネルＩＤ取得部」（０２０７）は、選択されているチャンネルのチャンネルＩＤを取得する機能を有する。具体的には、ユーザなどによって前記「チャンネル選択部」（０２０６）において選択され、前記「コンテンツ出力部」（０２０５）に出力されているチャンネルのチャンネルＩＤを取得する。
【００４１】
図５は、実際にＡＶ装置の選択されているチャンネルのチャンネルＩＤを取得するためのプログラムの一例を示したものである。図５に記載のプログラム例は以下のように動作するように記述されている。まず、通知情報を受信した事を検知する（図５Line３０）。通知情報を受信すると、現在ＡＶ装置のチャンネルが選択しているチャンネルＩＤの取得を行う（図５Line５０）。そして、取得したチャンネルＩＤを下記に詳述する「比較部」に対してデータの引き渡しを行う（図５Line６０）という具合の動作をする。
【００４２】
「比較部」（０２０２）は、通知情報取得部にて取得した通知情報に含まれるチャンネルＩＤと、チャンネルＩＤ取得部にて取得したチャンネルＩＤとを比較する機能を有する。具体的にはまず、前記「通知情報取得部」（０２０１）及び前記「チャンネルＩＤ取得部」（０２０７）より引き渡されたチャンネルＩＤを比較する。そして、比較を行うと比較結果を後に詳述する「視聴者用告知情報取得部」（０２０３）に対して引き渡す。
【００４３】
図６は、実際に通知情報取得部及びチャンネルＩＤ取得部より受けたチャンネルＩＤを比較し「視聴者用告知情報取得部」（０２０３）に比較結果を引き渡すプログラムの一例を示したものである。図６に記載のプログラムは以下のように動作するように記述されている。まず、通知情報取得部及びチャンネルＩＤ取得部よりチャンネルＩＤを受信したことを検知する（図６Line４０）。チャンネルＩＤを受信するとチャンネルＩＤの比較を行う（図６Line７０）。比較を行うと比較結果を取得する（図６Line８０、１００）。比較結果を取得すると下記に詳述する「視聴者用告知情報取得部」（０２０３）に対して比較結果を引き渡すという具合である。
【００４４】
「視聴者用告知情報取得部」（０２０３）は、比較部での比較結果に応じて視聴者に対して告知すべき視聴者用告知情報を取得する機能を有する。具体的にはまず、「比較部」（０２０２）から比較結果を受ける。比較結果を受けると、受けた比較結果に応じた視聴者に告知するための情報を取得する。そして、告知するための情報を取得すると後に詳述する「出力制御部」（０２０４）に対して取得した情報を引き渡す。ここで、視聴者に告知するための情報は、後の実施例において詳述するがあらかじめＡＶ装置に情報を保持しておいてもよいし、外部から受信する通知情報に告知する情報を含ませることによって、その都度通知情報から取得することとしてもよい。
【００４５】
図７（ａ）は、実際に比較結果を受信し、比較結果をもとに視聴者に対して告知するための情報を出力制御部に引き渡すプログラムの一例を示したものである。また、図７（ｂ）は比較結果に告知すべき情報を関連付けたデータの一例を示したものである。このデータは、先に述べたようにＡＶ装置にあらかじめ保持しておいてもよいし、通知情報に含ませることによって、その都度取得されることとしてもよいデータである。本例では、あらかじめＡＶ装置に通知情報を保持していることを想定している。
【００４６】
以下に図７（ａ）に示すプログラムの一例の動作の概要を説明する。まず、比較結果を受信した事を検知する（図７（ａ）Line４０）。比較結果を受信すると、比較結果に応じた視聴者用告知情報の取得を行う（例えば、比較結果＝１（チャンネルＩＤが異なる場合）には、図７（ｂ）に示したデータより、「現在、チャンネル"RCV_CHANEL_ID"の注目度が上がっています」が取得される）。（図７（ａ）Line６０）。そして、取得した視聴者用告知情報を下記に詳述する「出力制御部」に対してデータの引き渡しを行う（図７（ａ）Line７０）という具合の動作をする。
【００４７】
「出力制御部」（０２０４）は、視聴者用告知情報を出力中のコンテンツと同時にコンテンツ出力部から出力させる機能を有する。具体的には、前記「視聴者用告知情報取得部」（０２０３）において取得された告知すべき情報である視聴者用告知情報を前記「コンテンツ出力部」（０２０５）にて出力中のコンテンツと同時に出力させる。（例えば、「視聴者用告知情報取得部」より「現在、チャンネル"RCV_CHANEL_ID"の注目度が上がっています」という情報をうけとると、コンテンツ出力部に受け取った情報を出力させるという具合である。）
【００４８】
図８は、実際に視聴者用告知情報を受信し、コンテンツ出力部に視聴者用告知情報を出力させるためのプログラムの一例を示したものである。図８に記載のプログラムは以下のように動作するように記述されている。まず、視聴者用告知情報取得部より視聴者用告知情報を受信したことを検知する（図８Line３０）。視聴者用告知情報を受信すると、受信した視聴者用告知情報の出力を行うという具合である（図８Line６０）。
【００４９】
<ハードウェア的構成>
【００５０】
図９は、本実施例のＡＶ装置におけるハードウェア構成の一例を表す概念図である。この図を利用して、本実施例のＡＶ装置におけるそれぞれのハードウェア構成部の働きについて説明する。
【００５１】
この図にあるように、本実施例のＡＶ装置は、各種演算処理や制御を行う「ＣＰＵ」（０７０１）と、「主メモリ」（０７０２）とを備えている。また、ＡＶ装置は、選択することが可能なチャンネルなどを保存する「記憶装置」（０７０３）や、コンテンツを出力するための「画面」（０７０５）や、通知情報を受信するための「Ｉ／Ｏ」（０７０４）なども備えている。そして、これらが、「システムバス」などのデータ通信経路によって相互に接続され、情報の送受信や処理を行う。
【００５２】
ここで、「Ｉ／Ｏ」（０７０４）を介して、チャンネルＩＤを含む通知情報を受信したとする。通知情報の受信を検知すると、ＡＶ装置は「主メモリ」（０７０２）のワーク領域に展開されている「通知情報取得プログラム」（０７０６）と、「チャンネルＩＤ取得プログラム」（０７０７）を呼び出す。呼び出された「通知情報取得プログラム」（０７０６）と「チャンネルＩＤ取得プログラム」（０７０７）次のような動作をする。まず、「通知情報取得プログラム」（０７０６）は、「Ｉ／Ｏ」（０７０４）が受信した通知情報からチャンネルＩＤを取得し、「チャンネルＩＤ比較プログラム」（０７０８）に引き渡す。次に、「チャンネルＩＤ取得プログラム」（０７０７）は、ＡＶ装置のチャンネルが選択されているチャンネルＩＤを取得し、「チャンネルＩＤ比較プログラム」（０７０８）に引き渡す。
【００５３】
「チャンネルＩＤ比較プログラム」（０７０８）は、「通知情報取得プログラム」（０７０６）及び「チャンネルＩＤ取得プログラム」（０７０７）から、チャンネルＩＤを受けると、両者のチャンネルＩＤを比較する。そして、比較結果を、「告知情報取得プログラム」（０７０９）に引き渡す。
【００５４】
「告知情報取得プログラム」（０７０９）は、「チャンネルＩＤ比較プログラム」（０７０７）より比較結果を受けると、比較結果に応じた視聴者用告知情報を取得する。そして、取得した視聴者用告知情報を、「出力制御プログラム」（０７１０）に引き渡し、「画面」（０７０５）より視聴者用告知情報の出力を行うという具合である。
【００５５】
<処理の流れ>
【００５６】
図１０は、本実施例のＡＶ装置における通知情報の受信から、視聴者用告知情報出力までの流れの一例を表すフローチャートである。なお、以下に示すステップは、媒体に記録され、計算機を制御するためのプログラムを構成する処理ステップであってもかまわない。
【００５７】
まず、ＡＶ装置は通知情報を受信したとする（Ｓ１００１）。通知情報を受信すると、通知情報からチャンネルＩＤの取得を行う（Ｓ１００２）。さらに、ＡＶ装置のチャンネルが選択されているチャンネルＩＤの取得を行う（視聴中のチャンネルを取得する）（Ｓ１００３）。ここで、ステップ（Ｓ１００２）と（Ｓ１００３）は、パラレル処理としてフローチャートを記載したが、シーケンス処理であってもよい。チャンネルＩＤの取得が行われると、チャンネルＩＤの比較を行う（Ｓ１００４）。チャンネルＩＤの比較を行うと、比較結果に応じた視聴者用告知情報の取得を行う（Ｓ１００５）。視聴者用告知情報を取得すると、視聴者用告知情報の出力を行う（Ｓ１００６）。
【００５８】
ここで、視聴者用告知情報は、後の実施例において詳述するがあらかじめＡＶ装置に情報を保持しておいてもよいし、外部から受信する通知情報に告知する情報を含ませることによって、その都度通知情報から取得することとしてもよい。
【００５９】
<効果の簡単な説明>
【００６０】
本実施例のＡＶ装置によって、通知情報に含まれるチャンネルＩＤとＡＶ装置のチャンネルが選択しているチャンネルと等しい場合、異なる場合にそれぞれ異なる視聴者用告知情報を出力させることが可能となる。
【００６１】
≪実施例２≫
【００６２】
<概要>
【００６３】
本実施例は、実施例１の構成を基本として、ＡＶ装置が受信した通知情報に含まれるチャンネルＩＤと視聴中のチャンネルＩＤが等しい際に視聴者用告知情報を出力させないことを特徴とするＡＶ装置である。
【００６４】
<機能的構成>
【００６５】
図１１は、本実施例のＡＶ装置における構成の一例を表す図である。この図にあるように本実施例は、実施例１を基本として、「出力制御部」（１１０４）が「非表示制御手段」（１１０８）を新たに有していることを特徴としている。
【００６６】
なお、ここでは実施例１にて説明した構成について詳細な説明は省略し、本実施例において特徴的な箇所についてのみ説明する。
【００６７】
「非表示制御手段」（１１０８）は、比較部での比較結果が同一であるとの比較結果である場合には視聴者用告知情報を前記コンテンツと同時にコンテンツ出力部から出力させない制御をする機能を有する。具体的には比較部での比較結果が等しいとの結果である場合には、前記「視聴者用告知情報取得部」（１１０３）より視聴者用告知情報を受けても、「コンテンツ出力部」（１１０５）より視聴者用告知情報の出力をさせないという具合である。
【００６８】
図１２は、実際に視聴者用告知情報を受信し、比較結果が異なる場合にはコンテンツ出力部に視聴者用告知情報を出力させ、比較結果が等しい場合には視聴者用告知情報を出力させないプログラムの一例を示したものである。図１２に記載のプログラムは以下のように動作するように記述されている。まず、視聴者用告知情報取得部より視聴者用告知情報を受信したことを検知する（図１２Line３０）。視聴者用告知情報を受信すると、比較結果を参照し、比較結果が等しい場合にはプログラムを終了させる（図１２Line６０）。比較結果が異なる場合には視聴者用告知情報の出力を行うという具合である（図１２Line８０）。
【００６９】
<ハードウェア的構成>
図１３は、本実施例のＡＶ装置におけるハードウェア構成の一例を表す図である。この図を利用して、本実施例の処理について説明する。この図にあるように本実施例のＡＶ装置は実施例１と同様に各種演算処理や制御を行う「ＣＰＵ」（１３０１）と、「主メモリ」（１３０２）と「記憶装置」（１３０３）と「Ｉ／Ｏ」（１３０４）などを備えている。
【００７０】
ここで、「Ｉ／Ｏ」（１３０４）を介して、チャンネルＩＤを含む通知情報を受信したとする。通知情報の受信を検知すると、ＡＶ装置は「主メモリ」（１３０２）のワーク領域に展開されている「通知情報取得プログラム」（１３０６）と、「チャンネルＩＤ取得プログラム」（１３０７）を呼び出す。呼び出された「通知情報取得プログラム」（１３０６）と「チャンネルＩＤ取得プログラム」（１３０７）は、次のような動作をする。まず、「通知情報取得プログラム」（１３０６）は、「Ｉ／Ｏ」（１３０４）が受信した通知情報からチャンネルＩＤを取得し、「チャンネルＩＤ比較プログラム」（１３０８）に引き渡す。次に、「チャンネルＩＤ取得プログラム」（１３０７）は、ＡＶ装置のチャンネルが選択されているチャンネルＩＤを取得し、「チャンネルＩＤ比較プログラム」（１３０８）に引き渡す。
【００７１】
「チャンネルＩＤ比較プログラム」（１３０８）は、「通知情報取得プログラム」（１３０６）及び「チャンネルＩＤ取得プログラム」（１３０７）から、チャンネルＩＤを受けると、両者のチャンネルＩＤを比較する。そして、比較結果を「告知情報取得プログラム」（１３０９）に引き渡す。
【００７２】
「告知情報取得プログラム」（１３０９）は、「チャンネルＩＤ取得プログラム」（１３０７）より比較結果を受けると、比較結果に応じた視聴者用告知情報を取得する。そして、取得した視聴者用告知情報を、「出力制御プログラム」（１３１１）に引き渡す。
【００７３】
「出力制御プログラム」（１３１１）は、視聴者用告知情報を引き渡されると、まず「チャンネルＩＤ比較プログラム」（１３０８）の比較結果を取得する（ここでは比較結果が等しいという情報を取得する）。比較結果を取得すると、取得した比較結果が等しいとの結果である場合には処理を終了する。また、取得した比較結果が異なるとの結果である場合には、引き渡された視聴者用告知情報を「画面」（１３０５）に出力するという具合の動作をする。
【００７４】
<処理の流れ>
【００７５】
図１４は、本実施例のＡＶ装置における通知情報の受信から、視聴者用告知情報出力までの流れの一例を表すフローチャートである。なお、以下に示すステップは、媒体に記録され、計算機を制御するためのプログラムを構成する処理ステップであってもかまわない。
【００７６】
まず、ＡＶ装置は通知情報を受信したとする（Ｓ１４０１）。通知情報を受信すると、通知情報からチャンネルＩＤの取得を行う（Ｓ１４０２）。さらに、ＡＶ装置のチャンネルが選択されているチャンネルＩＤの取得を行う（視聴中のチャンネルを取得する）（Ｓ１４０３）。ここで、ステップ（Ｓ１４０２）と（Ｓ１４０３）は、パラレル処理としてフローチャートを記載したが、シーケンス処理であってもよい。チャンネルＩＤの取得が行われると、チャンネルＩＤの比較を行う（Ｓ１４０４）。チャンネルＩＤの比較を行うと、比較結果に応じて視聴者用告知情報の取得を行う（Ｓ１４０５）。視聴者用告知情報を取得すると、チャンネルＩＤの比較を参照する。（Ｓ１４０６）比較結果が異なるとの結果である場合には視聴者用告知情報の出力を行う（Ｓ１４０７）。比較結果が同じであるとの結果である場合には視聴者用告知情報の出力は行わず処理を終了する。
【００７７】
ここで、視聴者用告知情報は、実施例１と同様にＡＶ装置に情報を保持しておいてもよいし、外部から受信する通知情報に告知する情報を含ませることによって、その都度通知情報から取得することとしてもよい。
【００７８】
<効果の簡単な説明>
【００７９】
本実施例のＡＶ装置によって、視聴中のチャンネルと通知情報に含まれるチャンネルＩＤが等しい場合に視聴者用告知情報を表示させないことが可能となる。
【００８０】
≪実施例３≫
【００８１】
<概要>
【００８２】
本実施例のＡＶ装置は、通知情報を受けることによりＡＶ装置が選択されているモード情報を取得する。そして取得したモード種別に応じた視聴者用告知情報を取得しコンテンツが出力されている画面に取得した視聴者用告知情報を出力させることを特徴とするＡＶ装置である。
【００８３】
<機能的構成>
【００８４】
以下に記載するＡＶシステムの機能ブロックは、ハードウェア、ソフトウェア、又はハードウェア及びソフトウェアの両方として実現され得る。具体的には、コンピュータを利用するものであれば、ＣＰＵや主メモリ、バスあるいは二次記憶装置（ハードディスクや不揮発性メモリ）、それらのハードウェアを制御するためのドライバプログラムやその他アプリケーションプログラムなどがあげられる。
【００８５】
またこれらのハードウェアやソフトウェアは、主メモリ上に展開したプログラムをＣＰＵで演算処理したり、メモリやハードディスク上に保持されているデータや、インターフェースを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を固定した記録媒体も、当然この発明の技術的な範囲に含まれる。（本明細書の全体を通じて同様である）
【００８６】
図１５は、本実施例の「ＡＶ装置」における構成の一例を表す図である。本実施例の「ＡＶ装置」は、「通知情報取得部」（１５０１）と、「コンテンツ出力部」（１５０５）と、「モード情報取得部」（１５０９）と、「視聴者用告知情報識別部」（１５１０）と、「出力制御部」（１５０４）と、を有している。
【００８７】
「通知情報取得部」（１５０１）は、少なくともチャンネルＩＤを含む通知情報を取得する機能を有する。具体的には、外部より少なくともチャンネルＩＤを含む通知情報を受信し、受信した通知情報に含まれるチャンネルＩＤを取得する。ここで、通知情報を受信するにあたり、有線で通知情報を受信してもよいし、無線で通知情報を受信してもよい。また、通知情報は、視聴者用告知情報をチャンネルモードへの切替を促すためであったり、緊急のニュース等がある場合も考え特定のチャンネルを示すチャンネルＩＤではなくチャンネルモードを示す情報であってもよい。なお、本構成要件は、実施例１に記載の「通知情報取得部」と同様の機能を有している。
【００８８】
「コンテンツ出力部」（１５０５）は、コンテンツを出力する機能を有する。具体的には、選択されているチャンネルを出力させることや、外部入力等により受信するコンテンツの出力を行うなどである。また、要求に応じてコンテンツを出力しつつ、同時にメッセージ等のポップアップや、出力中のコンテンツ画面を分割しメッセージを出力させることができる。なお、本構成要件は、実施例1に記載の「コンテンツ出力部」と同様の機能を有している。
【００８９】
「モード情報取得部」（１５０９）は、選択されているコンテンツ出力部のモード情報を取得する機能を有する。具体的には、前記「コンテンツ出力部」（１５０５）において、出力中のコンテンツを出力するために選択されているＡＶ装置のモード情報を取得する。
【００９０】
図１６は、実際に選択されているコンテンツ出力部のモード情報を取得するためのプログラムの一例である。図１６に記載のプログラムは以下のように動作するように記述されている。まず、通知情報取得部が通知情報を受信したことを検知する（図１６Line３０）。通知情報を受信した事を検知するとモード情報の取得を行う（図１６Line５０）。モード情報の取得を行うと視聴者用告知情報取得部に対してモード情報を引き渡すという具合である（図１６Line６０）。
【００９１】
「視聴者用告知情報取得部」（１５１０）は、通知情報とモード情報に応じて視聴者に対して告知すべき視聴者用告知情報を取得する機能を有する。具体的には、前記「モード情報取得部」（１５０９）において取得されたモード情報と、「通知情報取得部」で受信した通知情報を受信し、受信したモード情報に応じた視聴者用告知情報を取得する。そして、後に詳述する「出力制御部」（１５０４）に取得した視聴者用告知情報を引き渡す。
【００９２】
図１７（ａ）は、実際にモード情報を受信し、モード情報に応じた視聴者用告知情報を出力制御部に対して引き渡すプログラムの一例を示したものである。また、図１７（ｂ）はモード情報に告知すべき情報を関連付けたデータの一例を示したものである。このデータは、先に述べたようにＡＶ装置にあらかじめ保持しておいてもよいし、通知情報に含ませることによって、その都度取得されることとしてもよいデータである。本例では、あらかじめＡＶ装置に保持していることを想定している。
【００９３】
以下に図１７（ａ）に示すプログラムの一例の動作の概要を説明する。まず、モード情報を受信した事を検知する（図１７（ａ）Line４０）。モード情報を受信すると、モード情報に応じた視聴者用告知情報の取得を行う（例えば、モード情報＝「外部入力モード」である場合には、図１７（ｂ）に示したデータより、「外部コンテンツを視聴中ですが、現在チャンネル"RCV_CHANEL_ID"の注目度が上がっています」が取得される）（図１７（ａ）Line６０）。そして、取得した視聴者用告知情報を下記に詳述する「出力制御部」に対してデータの引き渡しを行う（図１７（ａ）Line７０）という具合の動作をする。
【００９４】
「出力制御部」（１５０４）は、視聴者用告知情報を出力中のコンテンツと同時にコンテンツ出力部から出力させる機能を有する。具体的には、前記「視聴者用告知情報取得部」（１５１０）において取得された告知すべき情報である視聴者用告知情報を前記「コンテンツ出力部」（１５０５）にて出力中のコンテンツと同時に出力させる。なお、本構成要件は、実施例1に記載の「出力制御部」と同様の機能を有している。
【００９５】
<ハードウェア的構成>
【００９６】
図１８は、本実施例のＡＶ装置におけるハードウェア構成の一例を表す概念図である。この図を利用して、本実施例のＡＶ装置におけるそれぞれのハードウェア構成部の働きについて説明する。
【００９７】
この図にあるように、本実施例のＡＶ装置は、各種演算処理や制御を行う「ＣＰＵ」（１８０１）と、「主メモリ」（１８０２）とを備えている。また、ＡＶ装置は、告知情報などを保存する「記憶装置」（１８０３）や、コンテンツを出力するための「画面」（１８０５）や、通知情報を受信するための「Ｉ／Ｏ」（１８０４）なども備えている。そして、これらが、「システムバス」などのデータ通信経路によって相互に接続され、情報の送受信や処理を行う。
【００９８】
ここで、「Ｉ／Ｏ」（１８０４）を介して、チャンネルＩＤを含む通知情報を受信したとする。通知情報の受信を検知すると、ＡＶ装置は「主メモリ」（１８０２）のワーク領域に展開されている「通知情報取得プログラム」（１８０６）と、「モード情報取得プログラム」（１８１２）を呼び出す。呼び出された「通知情報取得プログラム」（１８０６）と「モード情報取得プログラム」（１８１２）は、次のような動作をする。まず、「通知情報取得プログラム」（１８０６）は、「Ｉ／Ｏ」（１８０４）が受信した通知情報からチャンネルＩＤを取得する。次に、「モード情報取得プログラム」（１８１２）は、「画面」（１８０５）に出力中のコンテンツを出力するために選択されているＡＶ装置のモード情報を取得する。そして、取得したモード情報を「告知情報取得プログラム」（１８１３）に引き渡す。
【００９９】
「告知情報取得プログラム」（１８１３）は、「モード情報取得プログラム」（１８１２）よりモード情報を受けると、モード情報に応じた視聴者用告知情報を取得する。そして、取得した視聴者用告知情報を、「出力制御プログラム」（１８１０）に引き渡し、「画面」（１８０５）より視聴者用告知情報の出力を行うという具合である。
【０１００】
<処理の流れ>
【０１０１】
図１９は、本実施例のＡＶ装置における通知情報の受信から、取得したモード情報に応じた視聴者用告知情報出力までの流れの一例を表すフローチャートである。なお、以下に示すステップは、媒体に記録され、計算機を制御するためのプログラムを構成する処理ステップであってもかまわない。
【０１０２】
まず、ＡＶ装置は通知情報を受信したとする（Ｓ１９０１）。通知情報を受信すると、通知情報からチャンネルＩＤの取得を行う（Ｓ１９０２）。さらに、同時に出力中のコンテンツを出力するために選択されているＡＶ装置のモード情報の取得を行う（Ｓ１９０３）。ここで、ステップ（Ｓ１９０２）と（Ｓ１９０３）は、パラレル処理としてフローチャートを記載したが、シーケンス処理であってもよい。モード情報が取得されると、モード情報に応じて視聴者用告知情報の取得を行う（Ｓ１９０４）。視聴者用告知情報を取得すると、視聴者用告知情報の出力を行う（Ｓ１９０５）。
【０１０３】
ここで、視聴者用告知情報は、後の実施例において詳述するがあらかじめＡＶ装置に情報を保持しておいてもよいし、外部から受信する通知情報に告知する情報を含ませることによって、その都度通知情報から取得することとしてもよい。
【０１０４】
<効果の簡単な説明>
【０１０５】
本実施例のＡＶ装置によって、出力中のコンテンツを出力するために選択されているＡＶ装置のモード情報の取得を行い、取得したモード情報に応じた視聴者用告知情報を取得し出力することが可能となる。
【０１０６】
≪実施例４≫
【０１０７】
<概要>
【０１０８】
本実施例は、実施例３の構成を基本として、新たに取得したモード情報がチャンネルモードである場合には通知情報に含まれるチャンネルＩＤをＡＶ装置が選択されているチャンネルＩＤを比較し、比較結果に応じた視聴者用告知情報を取得しＡＶ装置にコンテンツが出力されている画面に取得した視聴者用告知情報を出力させることを特徴とするＡＶ装置である。
【０１０９】
<機能的構成>
【０１１０】
図２０は、本実施例のＡＶ装置における構成の一例を表す図である。この図にあるように本実施例は、実施例３を基本として、ＡＶ装置が「チャンネル選択部」（２００６）と、「チャンネルＩＤ取得部」（２００７）と、「比較部」（２００２）と、を新たに有し、また「視聴者用告知情報取得部」（２０１１）は、「チャンネルモード視聴者用告知情報取得手段」（２０１２）を新たに有している。
【０１１１】
なお、ここでは実施例３にて説明した構成について詳細な説明は省略し、本実施例において特徴的な箇所についてのみ説明する。
【０１１２】
「チャンネル選択部」（２００６）は、視聴するチャンネルを選択するための機能を有する。具体的には、ユーザが本実施例のＡＶ装置を使用し視聴するために選択したチャンネル情報を受信し後に詳述する「コンテンツ出力部」（２００５）にユーザが選択したチャンネルのコンテンツを出力させる。
【０１１３】
「チャンネルＩＤ取得部」（２００７）は、選択されているチャンネルのチャンネルＩＤを取得する機能を有する。具体的には、ユーザなどによって前記「チャンネル選択部」（２００６）において選択され、前記「コンテンツ出力部」（２００５）に出力されているチャンネルのチャンネルＩＤを取得する。なお、本構成要件は、実施例1に記載の「チャンネルＩＤ取得部」と同様の機能を有している。
【０１１４】
「比較部」（２００２）は、通知情報取得部にて取得した通知情報に含まれるチャンネルＩＤと、チャンネルＩＤ取得部（２００７）にて取得したチャンネルＩＤとを比較する機能を有する。具体的にはまず、前記「通知情報取得部」（２００１）及び前記「チャンネルＩＤ取得部」（２００７）より引き渡されたチャンネルＩＤを比較する。そして、後に詳述する「チャンネルモード視聴者用告知情報取得部」（２０１２）に対して比較結果を引き渡す。
【０１１５】
「チャンネルモード視聴者用告知情報取得手段」（２０１２）は、モード情報取得部（２００９）のモード情報が、チャンネルモードである場合、比較部での比較結果に応じて視聴者に対して告知すべき視聴者用告知情報を取得する機能を有する。具体的には、まず、「比較部」（２００２）から比較結果と、「モード情報取得部」（２００９）からモード情報を受信する。次に、取得したモード情報がテレビモードであるか判別する。モード情報がテレビモードでない場合にはモード情報から視聴者用告知情報を取得し、取得したモード情報がテレビモードである場合には、比較結果から視聴者用告知情報の取得を行う。そして、視聴者用告知情報を取得すると「出力制御部」に引き渡すという具合である。
【０１１６】
図２１（ａ）は、実際にモード情報と比較結果を受信し、モード情報若しくは比較結果をもとに視聴者に対して告知するための情報を出力制御部に引き渡すプログラムの一例を示したものである。また、図２１（ｂ）は比較結果に告知すべき情報を関連付けたデータの一例を示したものである。このデータは、ＡＶ装置にあらかじめ保持しておいてもよいし、通知情報に含ませることによって、その都度取得されることとしてもよいデータである。本例では、あらかじめＡＶ装置に保持していることを想定している。
【０１１７】
以下に図２１（ａ）に示すプログラムの一例の動作の概要を説明する。まず、モード情報と比較結果を受信した事を検知する（図２１Line４０）。比較結果とモード情報を受信すると、モード情報がテレビモードであるかを判別する（図２１Line７０）。モード情報がテレビモードである場合には、取得している比較結果を元に視聴者用告知情報の取得を行う（例えば、「モード情報」＝「テレビモード」、比較結果＝１（チャンネルＩＤが異なる）である場合には、図２１（ｂ）に示したデータより、「現在、チャンネル"RCV_CHANEL_ID"の注目度が上がっています」が取得される）（図２１Line９０）。また、モード情報がテレビモード以外である場合には、取得しているモード情報をもとに視聴者用告知情報の取得を行う。（例えば、「モード情報」＝「外部入力」である場合には、図２１（ｂ）に示したデータより、「外部コンテンツを視聴中ですが、現在チャンネル"RCV_CHANEL_ID"の注目度が上がっています」が取得される）（図２１Line１３０）。そして、視聴者用告知情報を取得すると、出力制御部へ視聴者用告知情報を引き渡す（図２１Line１６０）。
【０１１８】
<ハードウェア的構成>
【０１１９】
図２２は、本実施例のＡＶ装置におけるハードウェア構成の一例を表す概念図である。この図を利用して、本実施例の処理について説明する。この図にあるように本実施例のＡＶ装置は実施例３と同様に各種演算処理や制御を行う「ＣＰＵ」（２２０１）と、「主メモリ」（２２０２）と「記憶装置」（２２０３）と「Ｉ／Ｏ」（２２０４）などを備えている。
【０１２０】
ここで、「Ｉ／Ｏ」（２２０４）を介して、チャンネルＩＤを含む通知情報を受信したとする。通知情報の受信を検知すると、ＡＶ装置は「主メモリ」（２２０２）のワーク領域に展開されている「通知情報取得プログラム」（２２０６）と、「モード情報取得プログラム」（２２１２）と「チャンネルＩＤ取得プログラム」（２２０７）を呼び出す。
【０１２１】
まず、「通知情報取得プログラム」（２２０６）は、「Ｉ／Ｏ」（２２０４）が受信した通知情報からチャンネルＩＤを取得する。そして、「チャンネルＩＤ比較プログラム」（２２０８）に引き渡す。次に、「チャンネルＩＤ取得プログラム」（２２０７）は、ＡＶ装置のチャンネルが選択されているチャンネルＩＤを取得し、「チャンネルＩＤ比較プログラム」（２２０８）に引き渡す。最後に、「モード情報取得プログラム」（２２１２）は、「画面」（２２０５）に出力中のコンテンツを出力するために選択されているＡＶ装置のモード情報を取得する。そして、「告知情報取得プログラム」（２２１４）に引き渡す。
【０１２２】
「チャンネルＩＤ比較プログラム」（２２０８）は、「通知情報取得プログラム」（２２１２）及び「チャンネルＩＤ取得プログラム」（２２０７）から、チャンネルＩＤを受けると、両者のチャンネルＩＤを比較する。そして、比較結果を「告知情報取得プログラム」（２２１４）に引き渡す。
【０１２３】
「告知情報取得プログラム」（２２１４）は、比較結果及び、モード情報を受けると、まず、モード情報がテレビモードであるかを判別する。判別結果がテレビモードと判別されると、比較結果をもとに視聴者用告知情報を取得する。比較結果がテレビモードでないと判別されると、モード情報を元に視聴者用告知情報の取得を行う。そして、取得した視聴者用告知情報を、「出力制御プログラム」（２２１０）に引き渡し、「画面」（２２０５）より視聴者用告知情報の出力を行うという具合である。
【０１２４】
<処理の流れ>
【０１２５】
図２３は、本実施例のＡＶ装置における通知情報の受信から、視聴者用告知情報出力までの流れの一例を表すフローチャートである。なお、以下に示すステップは、媒体に記録され、計算機を制御するためのプログラムを構成する処理ステップであってもかまわない。
【０１２６】
まず、ＡＶ装置は通知情報を受信したとする（Ｓ２３０１）。通知情報を受信すると、通知情報からチャンネルＩＤの取得を行う（Ｓ２３０２）。さらに、ＡＶ装置のチャンネルが選択されていればＡＶ装置が選択されているチャンネルＩＤの取得を行う。ここで、チャンネルが選択されていなければ取得は行われない（Ｓ２３０３）。さらに、出力中のコンテンツを出力するために選択されているＡＶ装置のモード情報を取得する（Ｓ２３０４）。ここで、ステップ（Ｓ２３０２）と（Ｓ２３０３）と、（Ｓ２３０４）は、パラレル処理としてフローチャートを記載したが、シーケンス処理であってもよい。
【０１２７】
チャンネルＩＤの取得が行われると、取得された通知情報に含まれるチャンネルＩＤと、選択されているチャンネルのチャンネルＩＤと比較を行う。ここで、いずれか片側でもチャンネルＩＤが取得できていない場合には比較は行われず本ステップはスキップする。（Ｓ２３０５）。
【０１２８】
次に、モード情報がテレビモードであるか判別を行う（Ｓ２３０６）。モード情報がテレビモードであれば、比較結果をもとに視聴者用告知情報を取得し（Ｓ２３０７）、モード情報がテレビモードでなければ、モード情報を元に視聴者用告知情報を取得する（Ｓ２３０８）。そして、視聴者用告知情報を取得すると、視聴者用告知情報の出力を行う（Ｓ２３０９）。
【０１２９】
ここで、視聴者用告知情報は、あらかじめＡＶ装置に情報を保持しておいてもよいし、外部から受信する通知情報に告知する情報を含ませることによって、その都度通知情報から取得することとしてもよい。
【０１３０】
<効果の簡単な説明>
【０１３１】
本実施例のＡＶ装置によって、通知情報に含まれるチャンネルＩＤと選択されているチャンネルのチャンネルＩＤとＡＶ装置のモード情報の取得を行い、モード情報がテレビモードであれば比較結果に応じた視聴者用告知情報を取得し、またモード情報がテレビモードでなければ、モード情報に応じた視聴者用告知情報を出力することが可能となる。
【０１３２】
≪実施例５≫
【０１３３】
<概要>
【０１３４】
本実施例は、実施例１、２、４の構成を基本として、ＡＶ装置が受信した通知情報に含まれるチャンネルＩＤとＡＶ装置のチャンネルが選択されているチャンネルＩＤとの比較結果に応じて出力させる視聴者用告知情報を、あらかじめＡＶ装置に保持してある情報から取得・生成し出力させることを特徴とするＡＶ装置である。ここでは、実施例１の構成を基本とした本実施例を以下に説明する。
【０１３５】
<機能的構成>
【０１３６】
図２４は、本実施例のＡＶ装置における構成の一例を表す図である。この図にあるように本実施例は、実施例１を基本として、ＡＶ装置が「テレビ側生成情報保持部」（２４１４）を新たに有し、また「視聴者用告知情報取得部」（２４０３）が、「視聴者用告知情報生成手段」（２４１３）を新たに有していることを特徴としている。
【０１３７】
なお、ここでは実施例１にて説明した構成について詳細な説明は省略し、本実施例において特徴的な箇所についてのみ説明する。
【０１３８】
「テレビ側生成情報保持部」（２４１４）は、比較結果に応じた視聴者用告知情報を生成するためのテレビ側生成情報を保持する機能を有する。具体的には、後に詳述するが「視聴者用告知情報生成手段」（２４１３）によって、生成される視聴者用告知情報を生成するために必要な情報であるテレビ側生成情報を保持しておくという具合である。
【０１３９】
図２５は、実際にテレビ側生成情報を保存するデータ構造の一例を示したものである。本例のデータ構造は、任意の識別子（本例では数字を用いているが、実際にはそれに限らない）に視聴者用告知情報を生成するためのフレーズを関連付けた構造となっている（例えば、「識別番号」＝「１」に「生成情報」＝「注目度が上がっています」が、「識別番号」＝「２」に「生成情報」＝「現在、」という具合に関連付けられて保存されている）。
【０１４０】
「視聴者用告知情報生成手段」（２４１３）は、比較部での結果に応じてテレビ側生成情報保持部からテレビ側生成情報を取得して視聴者用告知情報を生成する機能を有する。具体的には、まず前記「テレビ側生成情報保持部」（２４１４）より、テレビ側生成情報を取得し視聴者用告知情報を生成する。そして、生成した視聴者用告知情報を「出力制御部」（２４０４）に引き渡すという具合である。
【０１４１】
図２６は、実際に受信した比較結果をもとにテレビ側生成情報保持部より取得した情報をもとに視聴者用告知情報を生成し、出力制御部に引き渡すプログラムの一例を示したものである。
【０１４２】
以下に図２６（ａ）に示すプログラムの一例の動作概要を説明する。まず、比較結果を受信した事を検知する（図２６（ａ）Line４０）。比較結果を受信すると、比較結果に応じた視聴者用告知情報を生成するために前記テレビ側生成保持部よりテレビ側生成情報を取得する。そして、取得したテレビ側生成情報をもとに視聴者用告知情報を生成する（図２６（ａ）Line６０）。例えば、比較結果＝０（比較結果が等しい場合）には、図２６（ｂ）より、まず「比較結果」＝「０」の「識別番号」を「並び順」に取得する。そして、並べられた識別番号をもとにテレビ側生成情報保持部を参照し、テレビ側生成情報を取得して視聴者用告知情報の生成を行う。ここでは、図２５の内容をテレビ側生成情報保持部が保持しているとすると、「現在、非常に視聴中のチャンネル"RCV_CHANEL_ID"の注目度が上がっています。」という視聴者用告知情報が生成されるという具合である。そして、生成した視聴者用告知情報を「出力制御部」に引き渡しを行う（図２６（ａ）Line７０）という具合の動作をする。
【０１４３】
<ハードウェア的構成>
【０１４４】
図２７は、本実施例のＡＶ装置におけるハードウェア構成の一例を表す図である。この図を利用して、本実施例の処理について説明する。この図にあるように本実施例のＡＶ装置は実施例１と同様に各種演算処理や制御を行う「ＣＰＵ」（２７０１）と、「主メモリ」（２７０２）と「記憶装置」（２７０３）と「Ｉ／Ｏ」（２７０４）などを備えている。
【０１４５】
ここで、「Ｉ／Ｏ」（２７０４）を介して、チャンネルＩＤを含む通知情報を受信したとする。通知情報の受信を検知すると、ＡＶ装置は「主メモリ」（２７０２）のワーク領域に展開されている「通知情報取得プログラム」（２７０６）と、「チャンネルＩＤ取得プログラム」（２７０７）を呼び出す。呼び出された「通知情報取得プログラム」（２７０６）と「チャンネルＩＤ取得プログラム」（２７０７）は、次のような動作をする。まず、「通知情報取得プログラム」（２７０６）は、「Ｉ／Ｏ」（２７０４）が受信した通知情報からチャンネルＩＤを取得し、「チャンネルＩＤ比較プログラム」（２７０８）に引き渡す。次に、「チャンネルＩＤ取得プログラム」（２７０７）は、ＡＶ装置のチャンネルが選択されているチャンネルＩＤを取得し、「チャンネルＩＤ比較プログラム」（２７０８）に引き渡す。
【０１４６】
「チャンネルＩＤ比較プログラム」（２７０８）は、「通知情報取得プログラム」（２７０６）及び「チャンネルＩＤ取得プログラム」（２７０７）から、チャンネルＩＤを受けると、両者のチャンネルＩＤを比較する。そして、比較結果を、「告知情報取得プログラム」（２７１５）に引き渡す。
【０１４７】
「告知情報取得プログラム」（２７１５）は、「チャンネルＩＤ取得プログラム」（２７０７）より比較結果を受けると、「記録装置」（２７０３）に保持されている「テレビ側生成情報」を取得し比較結果に応じた視聴者用告知情報を生成する。そして、取得した視聴者用告知情報を、「出力制御プログラム」（２７１０）に引き渡し、「画面」（２７０５）より視聴者用告知情報の出力を行うという具合である。
【０１４８】
<処理の流れ>
【０１４９】
図２８は、本実施例のＡＶ装置における通知情報の受信から、視聴者用告知情報を生成し出力するまでの流れの一例を表すフローチャートである。なお、以下に示すステップは、媒体に記録され、計算機を制御するためのプログラムを構成する処理ステップであってもかまわない。
【０１５０】
まず、ＡＶ装置は通知情報を受信したとする（Ｓ２８０１）。通知情報を受信すると、通知情報からチャンネルＩＤの取得を行う（Ｓ２８０２）。さらに、ＡＶ装置のチャンネルが選択されているチャンネルＩＤの取得を行う（視聴中のチャンネルを取得する）（Ｓ２８０３）。ここで、ステップ（Ｓ２８０２）と（Ｓ２８０３）は、パラレル処理としてフローチャートを記載したが、シーケンス処理であってもよい。チャンネルＩＤの取得が行われると、チャンネルＩＤの比較を行う（Ｓ２８０４）。チャンネルＩＤの比較を行うと、比較結果に応じてテレビ側生成情報を参照し（Ｓ２８０６）、視聴者用告知情報の生成を行う（Ｓ２８０５）。視聴者用告知情報を生成すると、視聴者用告知情報の出力を行う（Ｓ２８０７）。
【０１５１】
<効果の簡単な説明>
【０１５２】
本実施例のＡＶ装置によって、通知情報に含まれるチャンネルＩＤとＡＶ装置において視聴中のチャンネルと等しい場合、異なる場合にそれぞれ異なる視聴者用告知情報をＡＶ装置内に保持している情報をもとに生成し出力させることが可能となる。
【０１５３】
≪実施例６≫
【０１５４】
<概要>
【０１５５】
本実施例は、実施例１、２、４の構成を基本として、ＡＶ装置が受信したチャンネルＩＤと視聴中のチャンネルＩＤとの比較結果に応じて出力させる視聴者用告知情報を、外部から複数取得した情報から選択し出力させることを特徴とするＡＶ装置である。ここでは、実施例１の構成を基本とした本実施例を以下に説明する。
【０１５６】
<機能的構成>
【０１５７】
図２９は、本実施例のＡＶ装置における構成の一例を表す図である。この図にあるように本実施例は、実施例１を基本として、ＡＶ装置が「視聴者用告知情報外部取得部」（２９１５）を新たに有し、また「視聴者用告知情報取得部」（２９０３）が、「視聴者用告知情報選択手段」（２９１４）を新たに有していることを特徴としている。
【０１５８】
なお、ここでは実施例１にて説明した構成について詳細な説明は省略し、本実施例において特徴的な箇所についてのみ説明する。
【０１５９】
「視聴者用告知情報外部取得部」（２９１５）は、視聴者用告知情報を比較結果、又はモード情報がいずれであってもよいように比較結果ごとに対応させて複数種類外部から取得する機能を有する。具体的には、外部から受信する任意の情報に含まれる視聴者用告知情報を、比較結果ごとに対応させて取得する。
【０１６０】
図３０（ａ）は、実際に外部から受信した情報から比較結果ごとに対応させた視聴者用告知情報を取得するためのプログラムの一例を示したものである。また、図３０（ｂ）は、本プログラム例によって視聴者用告知情報を取得されることを想定した、外部から送信されるデータ構造の一例を示したものである。本データ構造例は、外部から受信するチャンネルＩＤなどを含む通知情報に視聴者用告知情報を追加した構造となっている。なお、本例では通知情報に視聴者用告知情報を含む構造となっているが、実際には通知情報に含まれず別の情報として受信してもよい。
【０１６１】
以下に図３０（ａ）に示すプログラムの一例の動作の概要を説明する。まず、視聴者用告知情報を含む情報を受信した事を検知する（図３０（ａ）Line３０）。情報を受信すると、すべての結果と関連付けられた視聴者用告知情報の取得を行う（例えば、図３０（ｂ）に示したデータより、「結果」＝０と関連付けられた「視聴中のチャンネルの注目度が上がっています。」や、「結果」＝１と関連付けられた「現在、チャンネル"RCV_CHANEL_ID"の注目度が上がっています。」が取得されるという具合である）（図３０（ａ）Line５０）。
【０１６２】
「視聴者用告知情報選択手段」（２９１４）は、視聴者用告知情報外部取得部にて取得した複数の視聴者用告知情報から比較部での比較結果、又はモード情報取得部で取得したモード情報に応じた視聴者用告知情報を選択する機能を有する。具体的には、前記「視聴者用告知情報外部取得部」（２９１５）において取得された情報から、比較部での比較結果に応じた視聴者用告知情報を選択する。
【０１６３】
図３１（ａ）は、あらかじめ前記「視聴者用告知情報外部取得部」（２９１５）にて複数取得された結果に関連付けられた視聴者用告知情報から、比較部での比較結果に応じた視聴者用告知情報を選択するプログラムの一例を示したものである。また図３１（ｂ）は、前記「視聴者用告知情報外部取得部」（２９１５）で取得された情報である結果とそれに関連付けられた視聴者用告知情報の一例を示したものである。
【０１６４】
以下に図３１（ａ）に示すプログラムの一例の動作の概要を説明する。まず、比較結果を受信したこと及び複数の視聴者用告知情報が取得された事を検知する（図３１（ａ）Line４０）。検知すると、外部より受信したデータから取得した複数の視聴者用告知情報から比較結果に応じた視聴者用告知情報を取得する（図３１（ａ）Line７０）。そして、取得した視聴者用告知情報を「出力制御部」に引き渡しを行う（図３１（ａ）Line９０）という具合の動作をする。
【０１６５】
<ハードウェア的構成>
【０１６６】
図３２は、本実施例のＡＶ装置におけるハードウェア構成の一例を表す図である。この図を利用して、本実施例に特徴的な処理について説明する。この図にあるように本実施例のＡＶ装置は実施例１と同様に各種演算処理や制御を行う「ＣＰＵ」（３２０１）と、「主メモリ」（３２０２）と「記憶装置」（３２０３）と「Ｉ／Ｏ」（３２０４）などを備えている。
【０１６７】
ここで、「Ｉ／Ｏ」（３２０４）を介して、チャンネルＩＤと結果に関連付けられた視聴者用告知情報を含む通知情報を受信したとする。通知情報の受信を検知すると、ＡＶ装置は「主メモリ」（３２０２）のワーク領域に展開されている「通知情報取得プログラム」（３２０６）と、「チャンネルＩＤ取得プログラム」（３２０７）と、「告知情報外部取得プログラム」（３２１７）を呼び出す。
【０１６８】
呼び出された「通知情報取得プログラム」（３２０６）と「チャンネルＩＤ取得プログラム」（３２０７）と、「告知情報外部取得プログラム」（３２１７）は、次のような動作をする。まず、「通知情報取得プログラム」（３２０６）は、「Ｉ／Ｏ」（３２０４）が受信した通知情報からチャンネルＩＤを取得し、「チャンネルＩＤ比較プログラム」（３２０８）に引き渡す。次に、「チャンネルＩＤ取得プログラム」（３２０７）は、ＡＶ装置のチャンネルが選択されているチャンネルＩＤを取得し、「チャンネルＩＤ比較プログラム」（３２０８）に引き渡す。そして、「告知情報外部取得プログラム」（３２１７）は、通知情報に含まれる複数の結果に関連付けられた視聴者用告知情報を取得する。
【０１６９】
「チャンネルＩＤ比較プログラム」（３２０８）は、「通知情報取得プログラム」（３２０６）及び「チャンネルＩＤ取得プログラム」（３２０７）から、チャンネルＩＤを受けると、両者のチャンネルＩＤを比較する。そして、比較結果を「告知情報取得プログラム」（３２１６）に引き渡す。
【０１７０】
「告知情報取得プログラム」（３２１６）は、「チャンネルＩＤ比較プログラム」（３２０８）より比較結果を受けると、前記「告知情報外部取得プログラム」（３２１７）で取得した結果に関連付けられた視聴者用告知情報から、受けた比較結果に該当する視聴者用告知情報の選択を行う。そして、取得した視聴者用告知情報を、「出力制御プログラム」（３２１０）に引き渡し、「画面」（３２０５）より視聴者用告知情報の出力を行うという具合である。
【０１７１】
<処理の流れ>
【０１７２】
図３３は、本実施例のＡＶ装置における通知情報の受信から、視聴者用告知情報を外部から取得し、比較結果に応じた視聴者用告知情報を出力するまでの流れの一例を表すフローチャートである。なお、以下に示すステップは、媒体に記録され、計算機を制御するためのプログラムを構成する処理ステップであってもかまわない。
【０１７３】
まず、ＡＶ装置は通知情報を受信したとする（Ｓ３３０１）。通知情報を受信すると、通知情報からチャンネルＩＤの取得を行う（Ｓ３３０２）。また、ＡＶ装置のチャンネルが選択されているチャンネルＩＤの取得を行う（視聴中のチャンネルを取得する）（Ｓ３３０３）。チャンネルＩＤの取得が行われると、チャンネルＩＤの比較を行う（Ｓ３３０５）。ここで、チャンネルＩＤの比較が行われるまでの間に、外部から視聴者用告知情報を取得する（Ｓ３３０４）。ここで、ステップ（Ｓ３３０２）と（Ｓ３３０３）と（Ｓ３３０４）は、パラレル処理としてフローチャートを記載したが、シーケンス処理であってもよい。チャンネルＩＤの比較を行うと、外部から取得した視聴者用告知情報から比較結果に対応する視聴者用告知情報を選択する（Ｓ３３０６）。視聴者用告知情報を選択すると、選択した視聴者用告知情報の出力を行う（Ｓ３３０７）。
【０１７４】
ここで、本実施例における視聴者用告知情報は、通知情報に含まれることとしているが、実際にはそれに限らない
【０１７５】
<効果の簡単な説明>
【０１７６】
本実施例のＡＶ装置によって、外部から取得する視聴者用告知情報から比較結果に応じた視聴者用告知情報を取得し出力することが可能となる。
【０１７７】
≪実施例７≫
【０１７８】
<概要>
【０１７９】
本実施例は、実施例１の構成を基本として、ＡＶ装置が受信したチャンネルＩＤと視聴中のチャンネルＩＤが等しい場合に、視聴者用告知情報としてＮＵＬＬデータを取得して、ＮＵＬＬデータを視聴者用告知情報として出力させることを特徴とするＡＶシステムである。
【０１８０】
<機能的構成>
【０１８１】
図３４は、本実施例のＡＶ装置における構成の一例を表す図である。この図にあるように本実施例は、実施例１を基本として、ＡＶ装置の「視聴者用告知情報取得部」（３４０３）が、「ＮＵＬＬデータ取得手段」（３４１６）を新たに有していることを特徴としている。
【０１８２】
なお、ここでは実施例１にて説明した構成についての詳細な説明は省略し、本実施例において特徴的な箇所についてのみ説明する。
【０１８３】
「ＮＵＬＬデータ取得手段」（３４１６）は、比較部での比較結果が同一であるとの比較結果である場合に対応する視聴者用告知情報としてＮＵＬＬデータを取得する機能を有する。具体的には、本実施例の「視聴者用告知情報取得部」（３４０３）では、比較部の比較結果に応じた視聴者用告知情報が取得される。ここで、比較結果が同一との結果である場合には、ＮＵＬＬデータを取得し視聴者用告知情報をＮＵＬＬデータに置き換えるという具合である。
【０１８４】
図３５（ａ）は、実際に比較結果を受信し、比較結果に応じた視聴者用告知情報を取得し、さらに比較結果が同一である場合には視聴者用告知情報をＮＵＬＬデータに置き換えるプログラムの一例を示したものである。また、図３５（ｂ）は比較結果に告知すべき情報を関連付けたデータの一例を示したものである。このデータはＡＶ装置にあらかじめ保持しておいてもよいし、通知情報に含ませることによって、その都度取得されることとしてもよいデータである。本例では、あらかじめＡＶ装置に保持していることを想定している。
【０１８５】
以下に図３５（ａ）に示すプログラムの一例の動作の概要を説明する。まず、比較結果を受信した事を検知する（図３５（ａ）Line４０）。比較結果を受信すると、比較結果に応じた視聴者用告知情報の取得を行う（例えば、比較結果＝０（チャンネルＩＤが同一である場合）には、図３５（ｂ）に示したデータより、「視聴中のチャンネルの注目度が上がっています」が取得される）（図３５（ａ）Line７０）。次に、比較結果を参照し、比較結果が同一であるとの結果である場合には、視聴者用告知情報をＮＵＬＬに置き換える（図３５（ａ）Line９０）。そして、視聴者用告知情報を「出力制御部」に引き渡しを行う（図３５（ａ）Line１００）という具合の動作をする。
【０１８６】
<ハードウェア的構成>
図３６は、本実施例のＡＶ装置におけるハードウェア構成の一例を表す図である。この図を利用して、本実施例の処理について説明する。この図にあるように本実施例のＡＶ装置は実施例１と同様に各種演算処理や制御を行う「ＣＰＵ」（３６０１）と、「主メモリ」（３６０２）と「記憶装置」（３６０３）と「Ｉ／Ｏ」（３６０４）などを備えている。
【０１８７】
ここで、「Ｉ／Ｏ」（３６０４）を介して、チャンネルＩＤを含む通知情報を受信したとする。通知情報の受信を検知すると、ＡＶ装置は「主メモリ」（３６０２）のワーク領域に展開されている「通知情報取得プログラム」（３６０６）と、「チャンネルＩＤ取得プログラム」（３６０７）を呼び出す。呼び出された「通知情報取得プログラム」（３６０６）と「チャンネルＩＤ取得プログラム」（３６０７）は、次のような動作をする。まず、「通知情報取得プログラム」（３６０６）は、「Ｉ／Ｏ」（３６０４）が受信した通知情報からチャンネルＩＤを取得し、「チャンネルＩＤ比較プログラム」（３６０８）に引き渡す。次に、「チャンネルＩＤ取得プログラム」（３６０７）は、ＡＶ装置のチャンネルが選択されているチャンネルＩＤを取得し、「チャンネルＩＤ比較プログラム」（３６０８）に引き渡す。
【０１８８】
「チャンネルＩＤ比較プログラム」（３６０８）は、「通知情報取得プログラム」（３６０６）及び「チャンネルＩＤ取得プログラム」（３６０８）から、チャンネルＩＤを受けると、両者のチャンネルＩＤを比較する。そして、比較結果を「告知情報取得プログラム」（３６１６）に引き渡す。
【０１８９】
「告知情報取得プログラム」（３６１６）は、「チャンネルＩＤ比較プログラム」（３６０８）より比較結果を受けると、比較結果に応じた視聴者用告知情報を取得する。さらに、「チャンネルＩＤ比較プログラム」（３６０８）での比較結果が同一である場合には、視聴者用告知情報のデータをＮＵＬＬに置き換える。そして、視聴者用告知情報を「出力制御プログラム」（３６１０）に引き渡し、「画面」（３６０５）より視聴者用告知情報の出力を行うという具合である。
【０１９０】
<処理の流れ>
【０１９１】
図３７は、本実施例のＡＶ装置における通知情報の受信から、視聴者用告知情報出力までの流れの一例を表すフローチャートである。なお、以下に示すステップは、媒体に記録され、計算機を制御するためのプログラムを構成する処理ステップであってもかまわない。
【０１９２】
まず、ＡＶ装置は通知情報を受信したとする（Ｓ３７０１）。通知情報を受信すると、通知情報からチャンネルＩＤの取得を行う（Ｓ３７０２）。さらに、ＡＶ装置のチャンネルが選択されているチャンネルＩＤの取得を行う（視聴中のチャンネルを取得する）（Ｓ３７０３）。ここで、ステップ（Ｓ３７０２）と（Ｓ３７０３）は、パラレル処理としてフローチャートを記載したが、シーケンス処理であってもよい。チャンネルＩＤの取得が行われると、チャンネルＩＤの比較を行う（Ｓ３７０４）。チャンネルＩＤの比較を行うと、比較結果に応じて視聴者用告知情報の取得を行う（Ｓ３７０５）。視聴者用告知情報を取得すると、比較結果が同一である場合には、視聴者用告知情報をＮＵＬＬにする（Ｓ３７０７）。そして、視聴者用告知情報の出力を行う（Ｓ３７０８）。
【０１９３】
ここで、視聴者用告知情報は、後の実施例において詳述するがあらかじめＡＶ装置に情報を保持しておいてもよいし、外部から受信する通知情報に告知する情報を含ませることによって、その都度通知情報から取得することとしてもよい。
【０１９４】
<効果の簡単な説明>
【０１９５】
本実施例のＡＶ装置によって、視聴中のチャンネルと通知情報に含まれるチャンネルＩＤが等しい場合に視聴者用告知情報にＮＵＬＬを与えて、ＮＵＬＬデータを出力することが可能になる。
【０１９６】
≪実施例８≫
【０１９７】
<概要>
【０１９８】
本実施例は、実施例１から実施例７の何れかの構成を基本として、コンテンツ出力部が出力中のコンテンツのソース機器を識別し、識別されたソース機器に応じた視聴者用告知情報を取得し、出力させることを特徴とするＡＶ装置である。ここでは、実施例１の構成を基本とした本実施例を以下に説明する。
【０１９９】
<機能的構成>
【０２００】
図３８は、本実施例のＡＶ装置における構成の一例を表す図である。この図にあるように本実施例は、実施例１を基本として、ＡＶ装置の「コンテンツ出力部」（３８０５）が、「ソース機器識別手段」（３８１８）をさらに有し、「視聴者用告知情報取得部」（３８０３）が、「ソース機器別取得手段」（３８１７）をさらに有していることを特徴としている。
【０２０１】
なお、ここでは実施例１にて説明した構成についての詳細な説明は省略し、本実施例において特徴的な箇所についてのみ説明する。
【０２０２】
「ソース機器識別手段」（３８１８）は、コンテンツ出力部が出力中のコンテンツのソース機器を識別する機能を有する。具体的には、コンテンツ出力部に対して外部入力などの入力方法により出力中のソース機器を判別する。
【０２０３】
図３９は、実際にコンテンツ出力部に出力中のコンテンツのソース機器を識別するプログラムの一例を示したものである。図３９に記載のプログラムは以下のように動作するように記述されている。まず、通知情報取得部が通知情報を受信したことを検知する（図３９Line３０）。検知すると、現在コンテンツ出力部が出力中のソース機器識別情報を取得する（図３９Line５０）という具合の動作をする。
【０２０４】
「ソース機器別取得手段」（３８１７）は、ソース機器識別情報に応じて視聴者用告知情報を取得する機能を有する。具体的には、前記「ソース機器識別手段」（３８１８）で取得されたソース機器識別情報をもとにソース機器識別情報に関連付けられた視聴者用告知情報を取得する。ここで、取得される視聴者用告知情報は、あらかじめＡＶ装置に情報を保持しておいてもよいし、外部から受信する通知情報に告知する情報を含ませることによって、その都度通知情報から取得することとしてもよい。
【０２０５】
図４０（ａ）は、実際に受信したデータが比較結果である場合には、比較結果に応じた視聴者用告知情報を取得し、また受信したデータがソース識別情報である場合にはソース識別情報に応じた視聴者用告知情報を取得し出力制御部に引き渡すプログラムの一例を示したものである。また、図４０（ｂ）は比較結果及びソース識別情報に告知すべき情報を関連付けたデータの一例を示したものである。このデータは、先に述べたようにＡＶ装置にあらかじめ保持しておいてもよいし、通知情報に含ませることによって、その都度取得されることとしてもよいデータである。本例では、あらかじめＡＶ装置に保持していることを想定している。
【０２０６】
以下に図４０（ａ）に示すプログラムの一例の動作の概要を説明する。まず、比較結果もしくはソース識別情報を受信した事を検知する（図４０（ａ）Line４０）。ここで、受信した内容が、「比較結果」である場合には、比較結果に応じた視聴者用告知情報の取得を行う（例えば、「比較結果」＝１（チャンネルＩＤが異なる）である場合には、図４０（ｂ）に示したデータより、「現在、チャンネル"RCV_CHANEL_ID"の注目度が上がっています」が取得される）（図４０（ａ）Line７０〜１００）。また、受信した内容が「ソース識別情報」である場合には、ソース識別情報に応じた視聴者用告知情報の取得を行う（例えば、「ソース識別情報」＝ＤＶＤである場合には、図４０（ｂ）に示したデータより、「ＤＶＤを視聴中ですが、チャンネル"RCV_CHANEL_ID"の注目度が上がっています。」が取得される）（図４０（ａ）Line７０、１１０〜１５０）。そして、取得した視聴者用告知情報を「出力制御部」に引き渡しを行う（図４０（ａ）Line１６０）という具合の動作をする。
【０２０７】
<ハードウェア的構成>
図４１は、本実施例のＡＶ装置におけるハードウェア構成の一例を表す図である。この図を利用して、本実施例の処理について説明する。この図にあるように本実施例のＡＶ装置は実施例１と同様に各種演算処理や制御を行う「ＣＰＵ」（４１０１）と、「主メモリ」（４１０２）と「記憶装置」（４１０３）と「Ｉ／Ｏ」（４１０４）などを備えている。
【０２０８】
ここで、「Ｉ／Ｏ」（４１０４）を介して、チャンネルＩＤを含む通知情報を受信したとする。通知情報の受信を検知すると、ＡＶ装置は「主メモリ」（４１０２）のワーク領域に展開されている「通知情報取得プログラム」（４１０６）と、「チャンネルＩＤ取得プログラム」（４１０７）と、「ソース機器識別プログラム」（４１１８）を呼び出す。
【０２０９】
まず、「通知情報取得プログラム」（４１０６）は、「Ｉ／Ｏ」（４１０４）が受信した通知情報からチャンネルＩＤを取得し、「チャンネルＩＤ比較プログラム」（４１０８）に引き渡す。
【０２１０】
次に、「チャンネルＩＤ取得プログラム」（４１０７）は、ＡＶ装置のチャンネルが選択されているチャンネルＩＤを取得し、「チャンネルＩＤ比較プログラム」（４１０８）に引き渡す。ここで「チャンネルＩＤ取得プログラム」（４１０７）は、ＡＶ装置が外部入力のコンテンツを視聴中であるなど、ＡＶ装置のチャンネルが選択されていない場合には、チャンネルＩＤの取得が行われない。
【０２１１】
次に「ソース機器識別プログラム」（４１１８）は、「画面」（４１０５）に出力中のコンテンツのソース機器識別情報を取得する。そして、ソース機器識別情報を取得すると、取得したソース機器識別情報を「告知情報取得プログラム」（４１１７）に引き渡す。
【０２１２】
「チャンネルＩＤ比較プログラム」（４１０８）は、「通知情報取得プログラム」（４１０６）及び「チャンネルＩＤ取得プログラム」（４１０７）から、チャンネルＩＤを受けると、両者のチャンネルＩＤを比較する。そして、比較結果を、「告知情報取得プログラム」（４１１７）に引き渡す。ここで、「チャンネルＩＤ取得プログラム」（４１０７）よりチャンネルＩＤを受け取らなかった場合には、チャンネルＩＤの比較は行われずに処理を終了する。
【０２１３】
「告知情報取得プログラム」（４１１７）は、「チャンネルＩＤ比較プログラム」（４１０８）より比較結果を受けると、比較結果に応じた視聴者用告知情報を取得する。また、「チャンネルＩＤ比較プログラム」（４１０８）より比較結果を受けなかった場合には、「ソース機器識別プログラム」（４１１８）で取得したソース機器識別情報に応じた視聴者用告知情報を取得する。そして、視聴者用告知情報を、「出力制御プログラム」（４１１０）に引き渡し、「画面」（４１０５）より視聴者用告知情報の出力を行うという具合である。
【０２１４】
<処理の流れ>
【０２１５】
図４２は、本実施例のＡＶ装置における通知情報の受信から、比較結果もしくはソース機器識別情報に応じた視聴者用告知情報出力までの流れの一例を表すフローチャートである。なお、以下に示すステップは、媒体に記録され、計算機を制御するためのプログラムを構成する処理ステップであってもかまわない。
【０２１６】
まず、ＡＶ装置は通知情報を受信したとする（Ｓ４２０１）。通知情報を受信すると、次の３つの処理を行う。まず、通知情報に含まれるチャンネルＩＤの取得を行う（Ｓ４２０２）。次に、ＡＶ装置のチャンネルが選択されているチャンネルＩＤの取得を行う（視聴中のチャンネルを取得する）（Ｓ４２０３）。そして、ソース機器識別情報の取得を行う（Ｓ４２０４）ここで、ステップ（Ｓ４２０２）と（Ｓ４２０３）と（Ｓ４２０４）は、パラレル処理としてフローチャートを記載したが、シーケンス処理であってもよい。
【０２１７】
通知情報に含まれるチャンネルＩＤ及び選択されているチャンネルＩＤの両方が取得されると、チャンネルＩＤの比較を行う（Ｓ４２０５）。ここで、選択されているチャンネルＩＤを取得するステップ（Ｓ４２０３）において、チャンネルＩＤが取得されていない場合には、本ステップはスキップする。
【０２１８】
そして、チャンネルＩＤの比較が行われると、比較結果に応じて視聴者用告知情報の取得を行う。ここで、チャンネルＩＤの比較が行われなかった（スキップされた）場合には、取得されているソース機器識別情報に応じた視聴者用告知情報を取得する（Ｓ４２０６）。そして、取得した視聴者用告知情報の出力を行う（Ｓ４２０７）
【０２１９】
ここで、視聴者用告知情報は、あらかじめＡＶ装置に情報を保持しておいてもよいし、外部から受信する通知情報に告知する情報を含ませることによって、その都度通知情報から取得することとしてもよい。
【０２２０】
<効果の簡単な説明>
【０２２１】
本実施例のＡＶ装置によって、視聴中のコンテンツがチャンネルである以外の場合には取得したソース識別情報に応じた視聴者用告知情報を取得し出力することが可能となる。
【０２２２】
≪実施例９≫
【０２２３】
<概要>
【０２２４】
本実施例は、実施例１、２、４から実施例７の何れかの構成を基本として、ＡＶ装置においてチャンネルＩＤの比較結果が異なる場合には、ＡＶ装置に接続されている録画機器に対して通知されたチャンネルの録画命令を出力することを特徴とするＡＶシステムである。ここでは、実施例１の構成を基本とした本実施例を以下に説明する。
【０２２５】
<機能的構成>
【０２２６】
図４３は、本実施例のＡＶシステムにおける構成の一例を表す図である。この図にあるように本実施例のＡＶシステムは、ＡＶ装置と録画機器（４３２０）から構成されている。さらに本実施例のＡＶ装置は実施例１のＡＶ装置を基本として新たに「録画命令出力部」（４３１９）を新たに有していることを特徴としている。
【０２２７】
なお、ここでは実施例１にて説明した構成についての詳細な説明は省略し、本実施例において特徴的な箇所についてのみ説明する。
【０２２８】
「録画機器」（４３２０）は、少なくとも本実施例の後に詳述する「録画命令出力部」（４３１９）からの、録画命令を受信すると録画命令に応じて指定のチャンネルを録画する機能を有する「録画機器」である。具体的には、ＨＤＤレコーダーやＶＴＲなど任意の媒体にチャンネルを録画することができる機器である。
【０２２９】
「録画命令出力部」（４３１９）は、比較部における比較結果が異なるとの比較結果である場合には前記録画機器に対して前記通知情報取得部にて取得されたチャンネルＩＤで識別されるチャンネルを録画する録画命令を出力する機能を有する。具体的には、比較部において通知情報に含まれるチャンネルＩＤと選択されているチャンネルＩＤとの比較結果が異なる場合には、ＡＶ装置に接続されている録画機器に通知情報に含まれるチャンネルＩＤで識別されるチャンネルの録画を行う命令を送信するという具合である。
【０２３０】
図４４は、実際に比較部での比較結果が異なるとの比較結果である場合には、録画機器に対して、録画命令を出力するプログラムの一例を示したものである。図４４に記載のプログラムは以下のように動作するように記述されている。
【０２３１】
まず、比較結果が視聴者用告知情報取得部（告知情報取得プログラム）へ送信されたことを検知する（図４４Line４０）。検知すると比較結果を取得する（図４４Line６０）。比較結果を取得すると取得した比較結果が異なるとの結果であるかを判別する（図４４Line７０）。比較結果が異なるとの結果である場合には、通知情報に含まれるチャンネルＩＤに識別されるチャンネルの録画命令を録画機器に出力する（図４４Line８０、９０）という具合の動作をする。
【０２３２】
<ハードウェア的構成>
図４５は、本実施例のＡＶシステムにおけるハードウェア構成の一例を表す図である。この図を利用して、本実施例の処理について説明する。この図にあるように本実施例のＡＶシステムは、実施例１のＡＶ装置と録画機器とから構成されている。本実施例のＡＶシステムを構成するＡＶ装置は実施例１のＡＶ装置と同様に各種演算処理や制御を行う「ＣＰＵ」（４５０１）と、「主メモリ」（４５０２）と「記憶装置」（４５０３）と「Ｉ／Ｏ」（４５０４）などを備えている。また本実施例のＡＶ装置を構成する録画機器はＡＶ装置からの録画命令を受信することによりチャンネルの録画を行うことが可能な録画機器である。
【０２３３】
ここで、「Ｉ／Ｏ」（４５０４）を介して、チャンネルＩＤを含む通知情報を受信したとする。通知情報の受信を検知すると、ＡＶ装置は「主メモリ」（０７０２）のワーク領域に展開されている「通知情報取得プログラム」（４５０６）と、「チャンネルＩＤ取得プログラム」（４５０７）を呼び出す。呼び出された「通知情報取得プログラム」（４５０６）と「チャンネルＩＤ取得プログラム」（４５０７）次のような動作をする。まず、「通知情報取得プログラム」（４５０６）は、「Ｉ／Ｏ」（４５０４）が受信した通知情報からチャンネルＩＤを取得し、「チャンネルＩＤ比較プログラム」（４５０８）に引き渡す。次に、「チャンネルＩＤ取得プログラム」（４５０７）は、ＡＶ装置のチャンネルが選択されているチャンネルＩＤを取得し、「チャンネルＩＤ比較プログラム」（４５０８）に引き渡す。
【０２３４】
「チャンネルＩＤ比較プログラム」（４５０８）は、「通知情報取得プログラム」（４５０６）及び「チャンネルＩＤ取得プログラム」（４５０７）から、チャンネルＩＤを受けると、両者のチャンネルＩＤを比較する。そして、比較結果を「告知情報取得プログラム」（４５０９）に引き渡す。
【０２３５】
ここで、「録画命令出力プログラム」（４５２０）は、比較結果が「告知情報取得プログラム」（４５０９）に引き渡されたことを検知すると、まず「録画命令出力プログラム」（４５２０）は、比較結果を取得する。次に、比較結果を判別し比較結果が異なるとの結果である場合には、「録画機器」（４５１９）に録画命令を出力する。そして、録画命令をうけた「録画機器」（４５１９）は録画を開始する。
【０２３６】
「告知情報取得プログラム」（４５０９）は、「チャンネルＩＤ比較プログラム」（４５０８）より比較結果を受けると、比較結果に応じた視聴者用告知情報を取得する。そして、取得した視聴者用告知情報を、「出力制御プログラム」（４５１０）に引き渡し、「画面」（４５０５）より視聴者用告知情報の出力を行うという具合である。
【０２３７】
<処理の流れ>
【０２３８】
図４６は、本実施例のＡＶ装置における通知情報の受信から、視聴者用告知情報出力までの流れの一例を表すフローチャートである。なお、以下に示すステップは、媒体に記録され、計算機を制御するためのプログラムを構成する処理ステップであってもかまわない。
【０２３９】
まず、ＡＶ装置は通知情報を受信したとする（Ｓ４６０１）。通知情報を受信すると、通知情報からチャンネルＩＤの取得を行う（Ｓ４６０２）。さらに、ＡＶ装置のチャンネルが選択されているチャンネルＩＤの取得を行う（視聴中のチャンネルを取得する）（Ｓ４６０３）。ここで、ステップ（Ｓ４６０２）と（Ｓ４６０３）は、パラレル処理としてフローチャートを記載したが、シーケンス処理であってもよい。チャンネルＩＤの取得が行われると、チャンネルＩＤの比較を行う（Ｓ４６０４）。ここで、比較結果が異なるとの結果である場合（Ｓ４６０５）には、録画命令の出力を行い、（Ｓ４６０６）録画を開始する（Ｓ４６０７）。チャンネルＩＤの比較を行うと、比較結果に応じて視聴者用告知情報の取得を行う（Ｓ４６０８）。視聴者用告知情報を取得すると、視聴者用告知情報の出力を行う（Ｓ４６０９）。
【０２４０】
ここで、視聴者用告知情報は、あらかじめＡＶ装置に情報を保持しておいてもよいし、外部から受信する通知情報に告知する情報を含ませることによって、その都度通知情報から取得することとしてもよい。
【０２４１】
<効果の簡単な説明>
【０２４２】
本実施例のＡＶ装置によって、通知情報に含まれるチャンネルＩＤとＡＶ装置のチャンネルが選択されているチャンネルＩＤが等しい場合、異なる場合にそれぞれ異なる視聴者用告知情報を出力させるとともに、異なる場合には録画機器に録画命令を出力することが可能となる。
【０２４３】
≪実施例１０≫
【０２４４】
<概要>
【０２４５】
本実施例は、実施例８におけるＡＶ装置のコンテンツ出力部が出力中のコンテンツのソース機器を識別時にソース機器がテレビ以外のソース機器である場合には、録画機器に対して録画命令を出力することを特徴とするＡＶ装置と録画機器とから構成されるＡＶシステムである。
【０２４６】
<機能的構成>
【０２４７】
図４７は、本実施例のＡＶシステムにおける構成の一例を表す図である。この図にあるように本実施例のＡＶシステムは、ＡＶ装置と録画機器（４７２０）から構成されている。さらに本実施例のＡＶ装置は実施例８に記載のＡＶ装置を基本として新たに「ソース機器別録画命令出力部」（４７２１）を新たに有していることを特徴としている。
【０２４８】
なお、ここでは実施例８にて説明した構成についての詳細な説明は省略し、本実施例において特徴的な箇所についてのみ説明する。
【０２４９】
「録画機器」（４７２０）は、少なくとも本実施例の後に詳述する「ソース機器別録画命令出力部」（４７２１）からの、録画命令を受信すると録画命令に応じて指定のチャンネルを録画する機能を有する「録画機器」（４７２０）である。具体的には、ＨＤＤレコーダーやＶＴＲなど任意の媒体に録画することができる機器である。
【０２５０】
「ソース機器別録画命令出力部」（４７２１）は、ソース機器識別部が識別したソース機器がテレビ以外のソース機器である場合には録画機器に対して通知情報取得部にて取得されたチャンネルＩＤで識別されるチャンネルを録画する録画命令を出力する機能を有する。具体的には、ソース機器識別手段で取得したソース機器識別情報が、テレビ以外のソース機器情報であった場合には、ＡＶ装置に接続されている録画機器に通知情報に含まれるチャンネルＩＤに関連付けられたチャンネルの録画命令を出力する。
【０２５１】
図４８は、実際に識別されたコンテンツのソース機器を取得し、それがテレビでない場合には録画命令を出力するプログラムの一例を示したものである。図４８に記載のプログラムは以下のように動作するように記述されている。まず、ソース機器識別手段が、ソース機器識別情報を取得したことを検知する（図４８Line３０）。検知すると、ソース機器識別手段が取得したソース機器識別情報を取得する（図４８Line６０）。ソース機器識別情報を取得するとソース機器識別情報がテレビであるか判別する（図４８Line７０）。ソース機器識別情報がテレビでない場合には通知情報に含まれるチャンネルの録画命令を録画機器へ出力する（図４８Line９０）という具合の動作をする。
【０２５２】
<ハードウェア的構成>
図４９は、本実施例のＡＶシステムにおけるハードウェア構成の一例を表す図である。この図を利用して、本実施例に特徴的な処理について説明する。この図にあるように本実施例のＡＶシステムは、実施例８のＡＶ装置と録画機器とから構成されている。本実施例のＡＶシステムを構成するＡＶ装置は実施例８のＡＶ装置と同様に各種演算処理や制御を行う「ＣＰＵ」（４９０１）と、「主メモリ」（４９０２）と「記憶装置」（４９０３）と「Ｉ／Ｏ」（４９０４）などを備えている。また本実施例のＡＶ装置を構成する録画機器はＡＶ装置からの録画命令を受信することによりチャンネルの録画を行うことが可能な録画機器である。
【０２５３】
ここで、「Ｉ／Ｏ」（４９０４）を介して、チャンネルＩＤを含む通知情報を受信したとする。通知情報の受信を検知すると、ＡＶ装置は「主メモリ」（４９０２）のワーク領域に展開されている「通知情報取得プログラム」（４９０６）と、「チャンネルＩＤ取得プログラム」（４９０７）と、「ソース機器識別プログラム」（４９１８）を呼び出す。呼び出された「通知情報取得プログラム」（４９０６）と「チャンネルＩＤ取得プログラム」（４９０７）と「ソース機器識別プログラム」（４９１８）は、次のような動作をする。
【０２５４】
まず、「通知情報取得プログラム」（４９０６）は、「Ｉ／Ｏ」（４９０４）が受信した通知情報からチャンネルＩＤを取得し、「チャンネルＩＤ比較プログラム」（４９０８）に引き渡す。
【０２５５】
次に、「チャンネルＩＤ取得プログラム」（４９０７）は、ＡＶ装置のチャンネルが選択されているチャンネルＩＤを取得し、「チャンネルＩＤ比較プログラム」（４９０８）に引き渡す。ここでＡＶ装置が外部入力のコンテンツを視聴中であるなど、ＡＶ装置のチャンネルが選択されていない場合には、チャンネルＩＤの取得が行われない。つまり、この場合にはチャンネルＩＤが取得されずに、「チャンネルＩＤ取得プログラム」（４９０７）は処理を終了するという具合の動作をする。
【０２５６】
次に「ソース機器識別プログラム」（４９１８）は、「画面」（４９０５）に出力中のコンテンツのソース機器識別情報を取得する。そして、ソース機器識別情報を取得すると、取得したソース機器識別情報を「告知情報取得プログラム」（４９１７）に引き渡す。
【０２５７】
ここで、「ソース機器別録画命令プログラム」（４９２１）は、「ソース機器識別プログラム」（４９１８）から、「告知情報取得プログラム」（４９１７）へソース機器識別情報が引き渡されたことを検知すると、引き渡されたソース機器識別情報を取得する。そして、ソース機器識別情報がテレビでない場合には、「録画機器」（４９１９）へ録画命令を出力する。録画命令を受信した「録画機器」（４９１９）は録画命令に従って録画を行う。
【０２５８】
「チャンネルＩＤ比較プログラム」（４９０８）は、「通知情報取得プログラム」（４９０６）及び「チャンネルＩＤ取得プログラム」（４９０７）から、チャンネルＩＤを受けると、両者のチャンネルＩＤを比較する。そして、比較結果を、「告知情報取得プログラム」（４９１７）に引き渡す。ここで、「チャンネルＩＤ取得プログラム」（４９０７）よりチャンネルＩＤを受け取らなかった場合には、チャンネルＩＤの比較は行われずに処理を終了する。
【０２５９】
「告知情報取得プログラム」（４９１７）は、「チャンネルＩＤ比較プログラム」（４９０８）より比較結果を受けると、比較結果に応じた視聴者用告知情報を取得する。また、「チャンネルＩＤ比較プログラム」（４９０８）より比較結果を受けることなく、「ソース機器識別プログラム」（４９１８）よりソース機器識別情報を受け取った場合には、ソース機器識別情報に応じた視聴者用告知情報を取得する。そして、視聴者用告知情報を、「出力制御プログラム」（４９１０）に引き渡し、「画面」（４９０５）より視聴者用告知情報の出力を行うという具合である。
【０２６０】
<処理の流れ>
【０２６１】
図５０は、本実施例のＡＶ装置における通知情報の受信から、比較結果もしくはソース機器識別情報に応じた視聴者用告知情報出力までの流れの一例を表すフローチャートである。なお、以下に示すステップは、媒体に記録され、計算機を制御するためのプログラムを構成する処理ステップであってもかまわない。
【０２６２】
まず、ＡＶ装置は通知情報を受信したとする（Ｓ５００１）。通知情報を受信すると、次の３つの処理を行う。まず、通知情報に含まれるチャンネルＩＤの取得を行う（Ｓ５００２）。次に、ＡＶ装置のチャンネルが選択されているチャンネルＩＤの取得を行う（視聴中のチャンネルを取得する）（Ｓ５００３）。そして、ソース機器識別情報の取得を行う（Ｓ５００４）。ここで、ステップ（Ｓ５００２）と（Ｓ５００３）と（Ｓ５００４）は、パラレル処理としてフローチャートを記載したが、シーケンス処理であってもよい。
【０２６３】
ここで、取得したソース機器識別情報がテレビでない場合（Ｓ５００６）には、録画命令を録画機器へ出力する（Ｓ５００７）。そして、録画命令を受けた録画機器は録画命令に従って録画を開始する（Ｓ５００８）。
【０２６４】
通知情報に含まれるチャンネルＩＤ及び選択されているチャンネルＩＤの両方が取得されると、チャンネルＩＤの比較を行う（Ｓ５００５）。ここで、選択されているチャンネルＩＤを取得するステップ（Ｓ５００３）において、チャンネルＩＤが取得されていない場合、本ステップはスキップする。
【０２６５】
そして、チャンネルＩＤの比較が行われると、比較結果に応じて視聴者用告知情報の取得を行う。ここで、チャンネルＩＤの比較が行われなかった（スキップされた）場合には、取得されているソース機器識別情報に応じた視聴者用告知情報を取得する（Ｓ５００９）。そして、取得した視聴者用告知情報の出力を行う（Ｓ５０１０）
【０２６６】
ここで、視聴者用告知情報は、あらかじめＡＶ装置に情報を保持しておいてもよいし、外部から受信する通知情報に告知する情報を含ませることによって、その都度通知情報から取得することとしてもよい。
【０２６７】
<効果の簡単な説明>
【０２６８】
本実施例のＡＶシステムによって、視聴中のコンテンツがチャンネルである以外の場合には取得したソース識別情報に応じた視聴者用告知情報を取得し出力するとともに、録画機器の録画を行うことが可能となる。
【図面の簡単な説明】
【０２６９】
【図１】実施例１のＡＶ装置における構成の概念図の一例を表す図
【図２】実施例１のＡＶ装置における機能的構成の一例を表す図
【図３】実施例１のＡＶ装置における通知情報のデータ構造の一例を表す図
【図４】実施例１のＡＶ装置における通知情報取得プログラムの一例を表す図
【図５】実施例１のＡＶ装置におけるチャンネルＩＤ取得プログラムの一例を表す図
【図６】実施例１のＡＶ装置におけるチャンネルＩＤ比較プログラムの一例を表す図
【図７】実施例１のＡＶ装置における告知情報取得プログラムの一例を表す図
【図８】実施例１のＡＶ装置における出力制御プログラムの一例を表す図
【図９】実施例１のＡＶ装置におけるハードウェア構成の一例を表す図
【図１０】実施例１のＡＶ装置における通知情報の受信から、視聴者用告知情報出力までの流れの一例を表すフローチャート
【図１１】実施例２のＡＶ装置における機能的構成の一例を表す図
【図１２】実施例２のＡＶ装置における出力制御プログラムの一例を表す図
【図１３】実施例２のＡＶ装置におけるハードウェア構成の一例を表す図
【図１４】実施例２のＡＶ装置における通知情報の受信から、視聴者用告知情報出力までの流れの一例を表すフローチャート
【図１５】実施例３のＡＶ装置における機能的構成の一例を表す図
【図１６】実施例３のＡＶ装置におけるモード情報プログラムの一例を表す図
【図１７】実施例３のＡＶ装置における告知情報取得プログラムの一例を表す図
【図１８】実施例３のＡＶ装置におけるハードウェア構成の一例を表す図
【図１９】実施例３のＡＶシステムにおける通知情報の受信から、取得したモード情報に応じた視聴者用告知情報出力までの流れの一例を表すフローチャート
【図２０】実施例４のＡＶ装置における機能的構成の一例を表す図
【図２１】実施例４のＡＶ装置における告知情報取得プログラムの一例を表す図
【図２２】実施例４のＡＶ装置におけるハードウェア構成の一例を表す図
【図２３】実施例４のＡＶ装置における通知情報の受信から、視聴者用告知情報出力までの流れの一例を表すフローチャート
【図２４】実施例５のＡＶ装置における機能的構成の一例を表す図
【図２５】実施例５のＡＶ装置におけるテレビ側生成情報保持部のデータ構造の一例を表す図
【図２６】実施例５のＡＶ装置における告知情報取得プログラムの一例を表す図
【図２７】実施例５のＡＶ装置におけるハードウェア構成の一例を表す図
【図２８】実施例５のＡＶ装置における通知情報の受信から、視聴者用告知情報を生成し出力するまでの流れの一例を表すフローチャート
【図２９】実施例６のＡＶ装置における機能的構成の一例を表す図
【図３０】実施例６のＡＶ装置における告知情報外部取得プログラムと視聴者用告知情報を含む通知情報の一例を表す図
【図３１】実施例６のＡＶ装置における告知情報取得プログラムの一例を表す図
【図３２】実施例６のＡＶ装置におけるハードウェア構成の一例を表す図
【図３３】実施例６のＡＶ装置における通知情報の受信から、視聴者用告知情報を外部から取得し、比較結果に応じた視聴者用告知情報を出力するまでの流れの一例を表すフローチャート
【図３４】実施例７のＡＶ装置における機能的構成の一例を表す図
【図３５】実施例７のＡＶ装置における告知情報取得プログラムの一例を表す図
【図３６】実施例７のＡＶ装置におけるハードウェア構成の一例を表す図
【図３７】実施例７のＡＶ装置における通知情報の受信から、視聴者用告知情報出力までの流れの一例を表すフローチャート
【図３８】実施例８のＡＶ装置における機能的構成の一例を表す図
【図３９】実施例８のＡＶ装置におけるソース機器識別プログラムの一例を表す図
【図４０】実施例８のＡＶ装置における告知情報取得プログラムの一例を表す図
【図４１】実施例８のＡＶ装置におけるハードウェア構成の一例を表す図
【図４２】実施例８のＡＶ装置における通知情報の受信から、比較結果もしくはソース機器識別情報に応じた視聴者用告知情報出力までの流れの一例を表すフローチャート
【図４３】実施例９のＡＶシステムにおける機能的構成の一例を表す図
【図４４】実施例９のＡＶシステムにおける録画命令出力プログラムの一例を表す図
【図４５】実施例９のＡＶシステムにおけるハードウェア構成の一例を表す図
【図４６】実施例９のＡＶシステムにおける通知情報の受信から、必要に応じて録画機器の録画命令を出力し視聴者用告知情報出力までの流れの一例を表すフローチャート
【図４７】実施例１０のＡＶシステムにおける機能的構成の一例を表す図
【図４８】実施例１０のＡＶシステムにおけるソース機器別録画命令出力プログラムの一例を表す図
【図４９】実施例１０のＡＶシステムにおけるハードウェア構成の一例を表す図
【図５０】実施例１０のＡＶシステムにおける通知情報の受信から、比較結果もしくはソース機器識別情報に応じた視聴者用告知情報出力までの流れの一例を表すフローチャート
【符号の説明】
【０２７０】
０２０１  通知情報取得部
０２０２  比較部
０２０３  視聴者用告知情報取得部
０２０４  出力制御部
０２０５  コンテンツ出力部
０２０６  チャンネル選択部
０２０７  チャンネルＩＤ取得部
１１０８  非表示制御手段
２００９  モード情報取得部
２０１２  チャンネルモード視聴者用告知情報取得手段
２４１３  視聴者用告知情報生成手段
２４１４  テレビ側生成情報保持部
２９１４  視聴者用告知情報選択手段
２９１５  視聴者用告知情報外部取得部
３４１６  ＮＵＬＬデータ取得手段
３８１７  ソース機器別取得手段
３８１８  ソース機器識別手段
４３１９  録画命令出力部
４３２０  録画機器
４７２１  ソース機器別録画命令出力部
【図１】
2010011231.tif 000003
【図２】
2010011231.tif 000004
【図３】
2010011231.tif 000005
【図４】
2010011231.tif 000006
【図５】
2010011231.tif 000007
【図６】
2010011231.tif 000008
【図７】
2010011231.tif 000009
【図８】
2010011231.tif 000010
【図９】
2010011231.tif 000011
【図１０】
2010011231.tif 000012
【図１１】
2010011231.tif 000013
【図１２】
2010011231.tif 000014
【図１３】
2010011231.tif 000015
【図１４】
2010011231.tif 000016
【図１５】
2010011231.tif 000017
【図１６】
2010011231.tif 000018
【図１７】
2010011231.tif 000019
【図１８】
2010011231.tif 000020
【図１９】
2010011231.tif 000021
【図２０】
2010011231.tif 000022
【図２１】
2010011231.tif 000023
【図２２】
2010011231.tif 000024
【図２３】
2010011231.tif 000025
【図２４】
2010011231.tif 000026
【図２５】
2010011231.tif 000027
【図２６】
2010011231.tif 000028
【図２７】
2010011231.tif 000029
【図２８】
2010011231.tif 000030
【図２９】
2010011231.tif 000031
【図３０】
2010011231.tif 000032
【図３１】
2010011231.tif 000033
【図３２】
2010011231.tif 000034
【図３３】
2010011231.tif 000035
【図３４】
2010011231.tif 000036
【図３５】
2010011231.tif 000037
【図３６】
2010011231.tif 000038
【図３７】
2010011231.tif 000039
【図３８】
2010011231.tif 000040
【図３９】
2010011231.tif 000041
【図４０】
2010011231.tif 000042
【図４１】
2010011231.tif 000043
【図４２】
2010011231.tif 000044
【図４３】
2010011231.tif 000045
【図４４】
2010011231.tif 000046
【図４５】
2010011231.tif 000047
【図４６】
2010011231.tif 000048
【図４７】
2010011231.tif 000049
【図４８】
2010011231.tif 000050
【図４９】
2010011231.tif 000051
【図５０】
2010011231.tif 000052